(57)【要約】      （修正有）【課題】ＬＴＥアドバンスト協調マルチ・ポイント送信ネットワークにおける物理チャネル・データ・スクランブリングのための共有初期化符号を生成する。【解決手段】協調マルチ・ポイント送信ネットワークのサービス提供セルにおいて、共有初期化符号を生成することと、（ここで、共有初期化符号は、仮想サービス提供セル識別弧を含む）、共有初期化符号を用いてスクランブリング・シーケンスジェネレータを初期化することと、共有初期化符号からスクランブリング・シーケンスを生成することと、スクランブルされたデータを、スクランブリング・シーケンスを用いて生成することを含む。【選択図】図８
2014140199.tif 000002
【特許請求の範囲】
【請求項１】
方法であって、
協調マルチ・ポイント（ＣｏＭＰ）送信ネットワークのサービス提供セルにおいて、共有初期化符号を生成することと、ここで、前記共有初期化符号は、仮想サービス提供セル識別子を含む、
前記共有初期化符号を用いてスクランブリング・シーケンス・ジェネレータを初期化することと、
前記共有初期化符号からスクランブリング・シーケンスを生成することと、
スクランブルされたデータを、前記スクランブリング・シーケンスを用いて生成することと、
を備える方法。
【請求項２】
前記共有初期化符号を、前記ＣｏＭＰ送信ネットワーク内の別のセルへ送信すること、をさらに備える請求項１に記載の方法。
【請求項３】
前記スクランブルされたデータは、ＵＥ特有の基準信号を備える、請求項１に記載の方法。
【請求項４】
物理ダウンリンク制御チャネルで、前記サービス提供セルからユーザ機器（ＵＥ）へ前記共有初期化符号を送信すること、をさらに備える請求項１に記載の方法。
【請求項５】
前記スクランブルされたデータを、第１の物理ダウンリンク共有データ・チャネルで、前記ＵＥへ送信すること、をさらに備える請求項４に記載の方法。
【請求項６】
前記共有初期化符号はさらに、ユーザ機器（ＵＥ）識別子、コードワード・インデクス、および送信スロット・インデクスを備える、請求項１に記載の方法。
【請求項７】
前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項６に記載の方法。
【請求項８】
前記共有初期化符号は、コードワード・インデクス、送信スロット・インデクス、および仮想サービス提供セル識別子を含む、請求項１に記載の方法。
【請求項９】
前記ＣｏＭＰ送信ネットワークは、ユーザ機器へのダウンリンク送信に参加する複数のセルを備え、
前記共有初期化符号は、前記複数のセルのおのおののセルに共通である、請求項１に記載の方法。
【請求項１０】
前記ＣｏＭＰ送信ネットワークは、単一のセルを備える、請求項１に記載の方法。
【請求項１１】
前記共有初期化符号を、前記別のＣｏＭＰセルで受信することと、
前記共有初期化符号を用いて、前記別のＣｏＭＰセルにおけるスクランブリング・シーケンス・ジェネレータを初期化することと、
前記共有初期化符号を用いて前記スクランブリング・シーケンスを生成することと、
スクランブルされたデータを、前記スクランブリング・シーケンスを用いて生成することと、
前記スクランブルされたデータを、第２のＰＤＳＣＨで、前記ＵＥへ送信することと、
をさらに備える請求項２に記載の方法。
【請求項１２】
前記共有初期化符号を前記ＵＥにおいて受信することと、
前記共有初期化符号を用いて、前記ＵＥにおけるスクランブリング・シーケンス・ジェネレータを初期化することと、
前記共有初期化符号を用いて前記スクランブリング・シーケンスを生成することと、
スクランブルされたデータを、前記第１のＰＤＳＣＨと前記第２のＰＤＳＣＨとのうちの少なくとも１つで受信することと、
前記スクランブルされたデータを、前記スクランブリング・シーケンスを用いて逆スクランブルすることと、
をさらに備える請求項１１に記載の方法。
【請求項１３】
方法であって、
協調マルチ・ポイント（ＣｏＭＰ）送信ネットワークのサービス提供セルにおいて、共有初期化符号を生成することと、ここで、前記共有初期化符号は、サービス提供セル識別子を備える、
前記共有初期化符号を、前記ＣｏＭＰ送信ネットワーク内の別のセルへ送信することと、
物理ダウンリンク制御チャネル（ＰＤＣＣＨ）で、前記サービス提供セルからユーザ機器（ＵＥ）へ前記共有初期化符号を送信することと、
を備える方法。
【請求項１４】
前記共有初期化符号を用いてスクランブリング・シーケンス・ジェネレータを初期化することと、
前記共有初期化符号からスクランブリング・シーケンスを生成することと、
スクランブルされたデータを、前記スクランブリング・シーケンスを用いて生成することと、
前記スクランブルされたデータを、第１の物理ダウンリンク共有データ・チャネル（ＰＳＤＣＨ）で、ユーザ機器（ＵＥ）へ送信することと、
をさらに備える請求項１３に記載の方法。
【請求項１５】
前記スクランブルされたデータは、ＵＥ特有の基準信号を備える、請求項１４に記載の方法。
【請求項１６】
前記共有初期化符号を、前記別のＣｏＭＰセルで受信することと、
前記共有初期化符号を用いて、前記別のＣｏＭＰセルにおけるスクランブリング・シーケンス・ジェネレータを初期化することと、
前記共有初期化符号を用いて前記スクランブリング・シーケンスを生成することと、
スクランブルされたデータを、前記スクランブリング・シーケンスを用いて生成することと、
前記スクランブルされたデータを、第２のＰＤＳＣＨで、前記ＵＥへ送信することと、
をさらに備える請求項１４に記載の方法。
【請求項１７】
前記サービス提供セル識別子は、仮想サービス提供セル識別子を備える、請求項１３に記載の方法。
【請求項１８】
前記共有初期化符号はさらに、ＵＥ識別子、コードワード・インデクス、および送信スロット・インデクスを備える、請求項１３に記載の方法。
【請求項１９】
前記ＵＥ識別子は、仮想ＵＥ識別子を備える、請求項１８に記載の方法。
【請求項２０】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項１８に記載の方法。
【請求項２１】
前記共有初期化符号は、前記サービス提供セル識別子、前記コードワード・インデクス、および前記送信スロット・インデクスを備える、請求項１３に記載の方法。
【請求項２２】
前記共有初期化符号を前記ＵＥにおいて受信することと、
前記共有初期化符号を用いて、前記ＵＥにおけるスクランブリング・シーケンス・ジェネレータを初期化することと、
前記共有初期化符号を用いて前記スクランブリング・シーケンスを生成することと、
スクランブルされたデータを、前記第１のＰＤＳＣＨと前記第２のＰＤＳＣＨとのうちの少なくとも１つで受信することと、
前記スクランブルされたデータを、前記スクランブリング・シーケンスを用いて逆スクランブルすることと、
をさらに備える請求項１６に記載の方法。
【請求項２３】
前記スクランブルされたデータは、ＵＥ特有の基準信号を備える、請求項２２に記載の方法。
【請求項２４】
方法であって、
ユーザ機器（ＵＥ）において、協調マルチ・ポイント（ＣｏＭＰ）サービス提供セルから、共有初期化符号を受信することと、ここで、前記共有初期化符号は、ＣｏＭＰ送信ネットワーク内のセルに共通のスクランブリング・シーケンスを生成するように構成される、
前記ＣｏＭＰ送信ネットワークにおける別のセルへ、前記共有初期化符号を送信することと、
を備える方法。
【請求項２５】
前記スクランブリング・シーケンスを用いてスクランブルされたデータを、前記ＣｏＭＰ送信ネットワーク内の別のセルから受信すること、をさらに備える請求項２４に記載の方法。
【請求項２６】
前記スクランブリング・シーケンスを用いてスクランブルされたデータを、第１のＰＤＳＣＨによってＣｏＭＰサービス提供セルから、および、第２のＰＤＳＣＨによってＣｏＭＰ送信ネットワークにおける別のセルから、のうちの少なくとも１つから受信すること、をさらに備える請求項２４に記載の方法。
【請求項２７】
前記共有初期化符号は、コードワード・インデクス、送信スロット・インデクス、およびセル識別子を備える、請求項２４に記載の方法。
【請求項２８】
前記共有初期化符号はさらに、ＵＥ識別子を備える、請求項２７に記載の方法。
【請求項２９】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、請求項２７に記載の方法。
【請求項３０】
前記ＵＥ識別子は、仮想ＵＥ識別子を備える、請求項２８に記載の方法。
【請求項３１】
ＣｏＭＰ送信ネットワークにおけるサービス提供セルであって、
プロセッサと、メモリとを備え、
前記メモリは、前記プロセッサによって実行された場合、
前記ＣｏＭＰ送信ネットワークのための共有初期化符号を生成し、ここで、前記共有初期化符号は、仮想サービス提供セル識別子を備える、
前記共有初期化符号を用いてスクランブリング・シーケンス・ジェネレータを初期化し、
前記共有初期化符号からスクランブリング・シーケンスを生成し、
スクランブルされたデータを、前記スクランブリング・シーケンスを用いて生成する、
ように前記サービス提供セルを設定する、プロセッサ実行可能な命令群を備える、サービス提供セル。
【請求項３２】
前記メモリはさらに、前記プロセッサによって実行された場合、前記共有初期化符号を、前記ＣｏＭＰ送信ネットワーク内の別のセルへ送信するように前記サービス提供セルを設定する、プロセッサ実行可能な命令群を備える、請求項３１に記載のサービス提供セル。
【請求項３３】
前記メモリはさらに、前記プロセッサによって実行された場合、物理ダウンリンク制御チャネルで、前記サービス提供セルからユーザ機器（ＵＥ）へ前記共有初期化符号を送信するように前記サービス提供セルを設定する、プロセッサ実行可能な命令群を備える、請求項３１に記載のサービス提供セル。
【請求項３４】
前記メモリはさらに、前記プロセッサによって実行された場合、前記スクランブルされたデータを、第１の物理ダウンリンク共有データ・チャネルで、前記ＵＥへ送信するように前記サービス提供セルを設定する、プロセッサ実行可能な命令群を備える、請求項３３に記載のサービス提供セル。
【請求項３５】
前記共有初期化符号はさらに、ユーザ機器（ＵＥ）識別子、コードワード・インデクス、および送信スロット・インデクスを備える、請求項３４に記載のサービス提供セル。
【請求項３６】
前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項３５に記載のサービス提供セル。
【請求項３７】
前記共有初期化符号は、コードワード・インデクス、送信スロット・インデクス、および仮想サービス提供セル識別子を備える、請求項３１に記載のサービス提供セル。
【請求項３８】
ＣｏＭＰ送信ネットワークにおけるサービス提供セルであって、
プロセッサとメモリとを備え、
前記メモリは、前記プロセッサによって実行された場合、
前記ＣｏＭＰ送信ネットワークのための共有初期化符号を生成し、ここで、前記共有初期化符号は、サービス提供セル識別子を備え、
前記ＣｏＭＰ送信ネットワークにおける別のセルへ、前記共有初期化符号を送信し、
物理ダウンリンク制御チャネル（ＰＤＣＣＨ）で、ユーザ機器（ＵＥ）へ前記共有初期化符号を送信する、
ように前記サービス提供セルを設定する、プロセッサ実行可能な命令群を備える、サービス提供セル。
【請求項３９】
前記メモリはさらに、前記プロセッサによって実行された場合、
前記共有初期化符号を用いてスクランブリング・シーケンス・ジェネレータを初期化し、
前記共有初期化符号からスクランブリング・シーケンスを生成し、
スクランブルされたデータを、前記スクランブリング・シーケンスを用いて生成し、
前記スクランブルされたデータを、物理ダウンリンク共有チャネル（ＰＤＳＣＨ）で、ユーザ機器（ＵＥ）へ送信する、
ように前記サービス提供セルを設定する、プロセッサ実行可能な命令群を備える、請求項３８に記載のサービス提供セル。
【請求項４０】
前記サービス提供セル識別子は、仮想サービス提供セル識別子を備える、請求項３８に記載のサービス提供セル。
【請求項４１】
前記共有初期化符号はさらに、ＵＥ識別子、コードワード・インデクス、および送信スロット・インデクスを備える、請求項３８に記載のサービス提供セル。
【請求項４２】
前記ＵＥ識別子は、仮想ＵＥ識別子を備える、請求項４１に記載のサービス提供セル。
【請求項４３】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項４１に記載のサービス提供セル。
【請求項４４】
前記共有初期化符号は、前記サービス提供セル識別子、前記コードワード・インデクス、および前記送信スロット・インデクスを備える、請求項３８に記載のサービス提供セル。
【請求項４５】
通信デバイスであって、
プロセッサとメモリとを備え、
前記メモリはさらに、前記プロセッサによって実行された場合、
ＣｏＭＰサービス提供セルから共有初期化符号を受信し、ここで、前記共有初期化符号は、協調マルチ・ポイント（ＣｏＭＰ）送信ネットワークのための共通のスクランブリング・シーケンスを生成するように構成され、
前記ＣｏＭＰ送信ネットワークにおける別のセルへ、前記共有初期化符号を送信する、
ように前記通信デバイスを設定する、プロセッサ実行可能な命令群を備える、通信デバイス。
【請求項４６】
前記メモリはさらに、前記プロセッサによって実行された場合、前記共通のスクランブリング・シーケンスを用いてスクランブルされたデータを、前記別のセルから受信する、ように前記プロセッサを設定する、プロセッサ実行可能な命令群を備える、請求項４５に記載の通信デバイス。
【請求項４７】
前記メモリはさらに、前記プロセッサによって実行された場合、第１のＰＤＳＣＨにおけるＣｏＭＰサービス提供セルと、第２のＰＤＳＣＨにおけるＣｏＭＰ送信ネットワークにおける別のセルとのうちの少なくとも１つから、スクランブルされたデータを受信するように前記通信デバイスを設定する、プロセッサ実行可能な命令群を備える、請求項４６に記載の通信デバイス。
【請求項４８】
前記共有初期化符号は、コードワード・インデクス、送信スロット・インデクス、およびセル識別子を備える、請求項４５に記載の通信デバイス。
【請求項４９】
前記共有初期化符号はさらに、ＵＥ識別子を備える、請求項４８に記載の通信デバイス。
【請求項５０】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、請求項４８に記載の通信デバイス。
【請求項５１】
前記ＵＥ識別子は、仮想ＵＥ識別子を備える、請求項４９に記載の通信デバイス。
【請求項５２】
非一時的なコンピュータ読取可能な記憶媒体に組み込まれたコンピュータ・プログラム製品であって、
物理ダウンリンク制御チャネル（ＰＤＣＣＨ）で協調マルチ・ポイント（ＣｏＭＰ）サービス提供セルから共有初期化符号を受信するためのプログラム・コードと、ここで、前記共有初期化符号は、ＣｏＭＰ送信ネットワークのための共通のスクランブリング・シーケンスを生成するように構成される、
前記共有初期化符号に基づいてスクランブリング・シーケンスを生成するためのプログラム・コードと、
を備えるコンピュータ・プログラム製品。
【請求項５３】
第１の物理ダウンリンク共有チャネル（ＰＤＳＣＨ）におけるＣｏＭＰサービス提供セルと、第２のＰＤＳＣＨにおけるＣｏＭＰ送信ネットワークにおける別のセルとのうちの少なくとも１つから、スクランブルされたデータを受信するためのプログラム・コードをさらに備える、請求項５２に記載のコンピュータ・プログラム製品。
【請求項５４】
前記ＣｏＭＰ送信ネットワークにおける別のセルへ、前記共有初期化符号を送信するためのプログラム・コードをさらに備える、請求項５２に記載のコンピュータ・プログラム製品。
【請求項５５】
前記共有初期化符号は、コードワード・インデクス、送信スロット・インデクス、およびセル識別子を備える、請求項５３に記載のコンピュータ・プログラム製品。
【請求項５６】
前記共有初期化符号はさらに、ＵＥ識別子を備える、請求項５５に記載のコンピュータ・プログラム製品。
【請求項５７】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、請求項５５に記載のコンピュータ・プログラム製品。
【請求項５８】
前記ＵＥ識別子は、仮想ＵＥ識別子を備える、請求項５６に記載のコンピュータ・プログラム製品。
【請求項５９】
非一時的なコンピュータ読取可能な記憶媒体に組み込まれたコンピュータ・プログラム製品であって、
協調マルチ・ポイント（ＣｏＭＰ）送信ネットワークのサービス提供セルにおいて、共有初期化符号を生成するためのプログラム・コードと、ここで、前記共有初期化符号は、仮想サービス提供セル識別子を含む、
前記共有初期化符号を用いてスクランブリング・シーケンス・ジェネレータを初期化するためのプログラム・コードと、
前記共有初期化符号からスクランブリング・シーケンスを生成するためのプログラム・コードと、
スクランブルされたデータを、前記スクランブリング・シーケンスを用いて生成する
ためのプログラム・コードと、
を備えるコンピュータ・プログラム製品。
【請求項６０】
前記スクランブルされたデータは、ＵＥ特有の基準信号を備える、請求項５９に記載の方法。
【請求項６１】
前記サービス提供セルおよび前記ＣｏＭＰ送信ネットワークの別のセルに接続されたシステム・コントローラによって、前記ＣｏＭＰ送信ネットワークの別のセルへ、前記共有初期化符号を送信するためのプログラム・コードをさらに備える、請求項５９に記載のコンピュータ・プログラム製品。
【請求項６２】
物理ダウンリンク制御チャネルで、前記サービス提供セルからユーザ機器（ＵＥ）へ前記共有初期化符号を送信するためのプログラム・コードをさらに備える、請求項５９に記載のコンピュータ・プログラム・コード。
【請求項６３】
前記スクランブルされたデータを、第１の物理ダウンリンク共有データ・チャネルで、前記ＵＥへ送信するためのプログラム・コードをさらに備える、請求項６２に記載のコンピュータ・プログラム・コード。
【請求項６４】
前記共有初期化符号はさらに、ユーザ機器（ＵＥ）識別子、コードワード・インデクス、および送信スロット・インデクスを備える、請求項５９に記載のコンピュータ・プログラム・コード。
【請求項６５】
前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項６４に記載のコンピュータ・プログラム・コード。
【請求項６６】
前記共有初期化符号は、コードワード・インデクス、送信スロット・インデクス、および仮想サービス提供セル識別子を備える、請求項５９に記載のコンピュータ・プログラム・コード。
【請求項６７】
通信デバイスであって、
協調マルチ・ポイント（ＣｏＭＰ）サービス提供セルから共有初期化符号を受信する手段と、ここで、前記共有初期化符号は、ＣｏＭＰ送信ネットワークのための共通のスクランブリング・シーケンスを生成するように構成される、
前記共有初期化符号を用いて前記共通のスクランブリング・シーケンスを生成する手段と、
を備える通信デバイス。
【請求項６８】
第１のＰＤＳＣＨにおけるＣｏＭＰサービス提供セルと、第２のＰＤＳＣＨにおけるＣｏＭＰ送信ネットワークにおける別のセルとのうちの少なくとも１つから、スクランブルされたデータを受信する手段をさらに備える、請求項６７に記載の通信デバイス。
【請求項６９】
前記共有初期化符号は、コードワード・インデクス、送信スロット・インデクス、およびセル識別子を備える、請求項６７に記載の通信デバイス。
【請求項７０】
前記初期化符号はさらに、ＵＥ識別子を備える、請求項６９に記載の通信デバイス。
【請求項７１】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、請求項６９に記載の通信デバイス。
【請求項７２】
前記ＵＥ識別子は、仮想ＵＥ識別子を備える、請求項７０に記載の通信デバイス。
【請求項７３】
方法であって、
ユーザ機器において、ＣｏＭＰサービス提供セルから、共有初期化符号の構成要素を受信することと、ここで、前記共有初期化符号の構成要素は、ＣｏＭＰ送信ネットワークのためのアップリンク・スクランブリング・シーケンスを生成するように構成される、
物理アップリンク共有チャネルのためのスクランブリング・シーケンス・ジェネレータを初期化するために、前記共有初期化符号を生成することと、
前記共有初期化符号を、前記ＣｏＭＰ送信ネットワーク内のセルへ、物理アップリンク制御チャネルで送信することと、ここで、ＣｏＭＰ送信ネットワーク内のセルは、前記共有初期化符号から生成されたスクランブリング・シーケンスを用いて、前記ＵＥからの物理アップリンク共有チャネルにおけるデータを、逆スクランブルするように構成される、
前記スクランブルされたデータを、前記ＣｏＭＰ送信ネットワーク内のセルへ、物理アップリンク共有チャネルで送信することと、
を備える方法。
【発明の詳細な説明】
【優先権の主張】
【０００１】
本特許出願は、「ＬＴＥ−ＡのためのＰＤＳＣＨスクランブリング・シーケンス初期化」（PDSCH Scrambling Sequence Initialization for LTE-A）と題され２００９年９月３０日に出願された米国仮特許出願６１／２４７，１１４に対する優先権を主張する。この米国仮特許出願の全体は、本明細書において参照によって組み込まれている。
【技術分野】
【０００２】
本発明は、一般に、無線通信の分野に関し、さらに詳しくは、無線通信システムにおける物理チャネルにおいて使用されるスクランブリング・シーケンスの初期化に関する。
【背景技術】
【０００３】
本項は、開示された実施形態に対する背景またはコンテキストを提供することが意図されている。ここにおける記述は、追求されうる概念を含みうるが、この概念は、必ずしも、以前に想定または追及されている必要はない。したがって、ここで、別に示されていないのであれば、本項で説明されているものは、本明細書における詳細記述および特許請求の範囲に対する従来技術ではなく、本項に含まれていることによって、従来技術であるとは認められない。
【０００４】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００５】
直交周波数分割多重化（ＯＦＤＭ）通信システムは、システム帯域全体を、周波数サブチャネル、トーン、または周波数ビンとも称される、複数のサブキャリアへと効率的に分割する。ＯＦＤＭシステムの場合、送信されるデータ（つまり情報ビット）は、符号化されたビットを生成するために特定の符号化スキームで最初に符号化される。また、符号化されたビットは、その後、変調シンボルにマッピングされるマルチ・ビット・シンボルへさらにグループ化される。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる各時間インタバルにおいて、周波数サブキャリアのおのおので変調シンボルが送信される。したがって、ＯＦＤＭは、システム帯域幅にわたる別の減衰量によって特徴付けられる周波数選択フェージングによって引き起こされるシステム間干渉（ＩＳＩ）と格闘するために使用されうる。
【０００６】
一般に、無線多元接続通信システムは、順方向リンクおよび逆方向リンクによる送信によって１または複数の基地局と通信する複数の無線端末のための通信を同時にサポートしうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００７】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されたＭＩＭＯチャネルは、空間チャネルとも称されるＮＳ個の独立したチャネルへ分解されうる。一般に、ＮＳ個の独立したチャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。ＭＩＭＯシステムはまた、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信と逆方向リンク送信とが、同じ周波数領域にある。これによって、アクセス・ポイントは、アクセス・ポイントにおいて複数のアンテナが利用可能である場合、順方向リンクで、ビームフォーミング利得を送信できるようになる。
【０００８】
協調マルチ・ポイント（ＣｏＭＰ）通信は、ＵＥにおける信号対雑音比を高めるために、複数のセルが、同じユーザ機器（ＵＥ）に同時にサービス提供できる可能性を提供する。ＣｏＭＰを用いて、１つのセル（サービス提供セル）が、物理ダウンリンク制御チャネル（ＰＤＣＣＨ）で制御シグナリングを管理している間、複数のセルが、ＰＤＳＣＨリソースを、同じＵＥへ実質的に同時に送信しうる。
【発明の概要】
【０００９】
開示された実施形態は、アドバンスト無線通信システムにおける協調マルチ・ポイント（ＣｏＭＰ）送信ネットワークにおけるＰＤＳＣＨスクランブリング符号のための共通のスクランブリング・シーケンスを生成するための共有初期化符号を生成するためのシステム、方法、装置、およびコンピュータ・プログラム製品に関する。
【００１０】
１つの実施形態では、方法は、協調マルチ・ポイント（ＣｏＭＰ）送信ネットワークのサービス提供セルにおいて、共有初期化符号を生成することと、ここで、共有初期化符号は、仮想サービス提供セル識別子を含む、共有初期化符号を用いてスクランブリング・シーケンス・ジェネレータを初期化することと、共有初期化符号からスクランブリング・シーケンスを生成することと、スクランブルされたデータを、スクランブリング・シーケンスを用いて生成することと、を含む。
【００１１】
１つの実施形態では、方法は、サービス提供セルおよびＣｏＭＰ送信ネットワークの他のセルに接続されたシステム・コントローラによって、ＣｏＭＰ送信ネットワークの別のセルへ、共有初期化符号を送信することを含む。
【００１２】
別の実施形態では、方法は、物理ダウンリンク制御チャネル（ＰＤＣＣＨ）で、サービス提供セルからユーザ機器（ＵＥ）へ共有初期化符号を送信することと、スクランブルされたデータを、第１の物理ダウンリンク共有データ・チャネル（ＰＳＤＣＨ）で、ＵＥへ送信することと、を含む。
【００１３】
１つの実施形態では、初期化符号は、ユーザ機器（ＵＥ）識別子、コードワード・インデクス、および送信スロット・インデクスを含む。ここで、１つの実施形態では、ＵＥ識別子が、仮想ＵＥ識別子を含み、コードワード・インデクスが、サービス提供セル・コードワード・インデクスと仮想コードワード・インデクスとのうちの１つを含み、送信スロット・インデクスが、サービス提供セル送信スロット・インデクスと仮想送信スロット・インデクスとのうちの１つを含む。別の実施形態では、初期化符号は、コードワード・インデクス、送信スロット・インデクス、および仮想サービス提供セル識別子を含む。
【００１４】
１つの実施形態では、ＣｏＭＰ送信ネットワークは、複数のセルを含む。別の実施形態では、ＣｏＭＰ送信ネットワークは、単一のセルを含む。
【００１５】
１つの実施形態では、方法は、他のＣｏＭＰセルにおいて共有初期化符号を受信し、共有初期化符号を用いて、他のＣｏＭＰセルにおいてスクランブリング・シーケンス・ジェネレータを初期化することと、共有初期化符号を用いてスクランブリング・シーケンスを生成することと、スクランブルされたデータを、スクランブリング・シーケンスを用いて生成することと、スクランブルされたデータを、第２のＰＤＳＣＨで、ＵＥへ送信することと、を含む。
【００１６】
１つの実施形態では、方法は、共有初期化符号をＵＥにおいて受信することと、共有初期化符号を用いて、ＵＥにおけるスクランブリング・シーケンス・ジェネレータを初期化することと、共有初期化符号を用いてスクランブリング・シーケンスを生成することと、スクランブルされたデータを、第１のＰＤＳＣＨと第２のＰＤＳＣＨとのうちの少なくとも１つで受信することと、スクランブルされたデータを、スクランブリング・シーケンスを用いて逆スクランブルすることと、を含む。
【００１７】
１つの実施形態では、別の方法は、協調マルチ・ポイント（ＣｏＭＰ）送信ネットワークのサービス提供セルにおいて、共有初期化符号を生成することと、ここで、共有初期化符号は、サービス提供セル識別子を含む、サービス提供セルおよびＣｏＭＰ送信ネットワークの他のセルに接続されたシステム・コントローラによって、ＣｏＭＰ送信ネットワークの別のセルへ、初期化符号を送信することと、物理ダウンリンク制御チャネル（ＰＤＣＣＨ）で、サービス提供セルからユーザ機器（ＵＥ）へ共有初期化符号を送信することと、を含む。
【００１８】
１つの実施形態では、この方法はさらに、共有初期化符号を用いてスクランブリング・シーケンス・ジェネレータを初期化することと、共有初期化符号からスクランブリング・シーケンスを生成することと、スクランブルされたデータを、スクランブリング・シーケンスを用いて生成することと、スクランブルされたデータを、第１の物理ダウンリンク共有データ・チャネル（ＰＳＤＣＨ）で、ユーザ機器（ＵＥ）へ送信することと、を含む。
【００１９】
１つの実施形態では、方法は、共有初期化符号を、別のＣｏＭＰセルで受信することと、共有初期化符号を用いて、他のＣｏＭＰセルにおけるスクランブリング・シーケンス・ジェネレータを初期化することと、共有初期化符号を用いてスクランブリング・シーケンスを生成することと、スクランブルされたデータを、スクランブリング・シーケンスを用いて生成することと、スクランブルされたデータを、第２のＰＤＳＣＨで、ＵＥへ送信することと、を含む。
【００２０】
１つの実施形態では、サービス提供セル識別子は、仮想サービス提供セル識別子、ＵＥ識別子、コードワード・インデクス、および送信スロット・インデクスを含む。ここで、１つの態様では、ＵＥ識別子は、仮想ＵＥ識別子を含む。
【００２１】
１つの実施形態では、コードワード・インデクスは、サービス提供セル・コードワード・インデクスと仮想コードワード・インデクスとのうちの１つを含み、送信スロット・インデクスは、サービス提供セル送信スロット・インデクスと仮想送信スロット・インデクスとのうちの１つを含む。
【００２２】
１つの実施形態では、初期化符号は、サービス提供セル識別子、コードワード・インデクス、および送信スロット・インデクスから成る。
【００２３】
１つの実施形態では、方法は、共有初期化符号をＵＥにおいて受信することと、共有初期化符号を用いて、ＵＥにおけるスクランブリング・シーケンス・ジェネレータを初期化することと、共有初期化符号を用いてスクランブリング・シーケンスを生成することと、スクランブルされたデータを、第１のＰＤＳＣＨと第２のＰＤＳＣＨとのうちの少なくとも１つで受信することと、スクランブルされたデータを、スクランブリング・シーケンスを用いて逆スクランブルすることと、を含む。
【００２４】
１つの実施形態では、方法は、ユーザ機器において、ＣｏＭＰサービス提供セルから、共有初期化符号の構成要素を受信することと、ここで、共有初期化符号の構成要素は、ＣｏＭＰ送信ネットワークのためのアップリンク・スクランブリング・シーケンスを生成するように構成される、物理アップリンク共有チャネルのためのスクランブリング・シーケンス・ジェネレータを初期化するために、共有初期化符号を生成することと、共有初期化符号を、ＣｏＭＰ送信ネットワーク内のセルへ、物理アップリンク制御チャネルで送信することとを備え、ここで、ＣｏＭＰ送信ネットワーク内のセルは、ＵＥからの物理アップリンク共有チャネルにおけるデータを、共有初期化符号から生成されたスクランブリング・シーケンスを用いて逆スクランブルし、スクランブルされたデータを、ＣｏＭＰ送信ネットワーク内のセルへ、物理アップリンク共有チャネルで送信するように構成されている。
【００２５】
１つの実施形態では、他の方法は、ユーザ機器（ＵＥ）において、ＣｏＭＰサービス提供セルから、共有初期化符号を受信することと、ここで、共有初期化符号は、協調マルチ・ポイント（ＣｏＭＰ）送信ネットワークのための共通のスクランブリング・シーケンスを生成するように構成されている、ＣｏＭＰ送信ネットワークにおける別のセルへ、共有初期化符号を送信することと、を含む。
【００２６】
１つの実施形態では、ＣｏＭＰ送信ネットワークにおける別のセルは、共有初期化符号を用いて生成されたスクランブリング・シーケンスを用いてデータをスクランブルし、スクランブルされたデータをＵＥへ送信するように構成されている。
【００２７】
１つの実施形態では、方法は、ＵＥにおいて、第１のＰＤＳＣＨにおけるＣｏＭＰサービス提供セルと、第２のＰＤＳＣＨにおけるＣｏＭＰ送信ネットワークにおける別のセルとのうちの少なくとも１つから、スクランブルされたデータを受信することを含む。
【００２８】
１つの実施形態では、初期化符号は、コードワード・インデクス、送信スロット・インデクス、およびセル識別子を備える。１つの実施形態では、初期化符号はさらにＵＥ識別子を含む。１つの実施形態では、ＵＥ識別子は、仮想ＵＥ識別子を含む。
【００２９】
１つの実施形態では、コードワード・インデクスは、サービス提供セル・コードワード・インデクスと仮想コードワード・インデクスとのうちの１つを含み、送信スロット・インデクスは、サービス提供セル送信スロット・インデクスと仮想送信スロット・インデクスとのうちの１つを含み、セル識別子は、サービス提供セル識別子と仮想セル識別子とのうちの１つを含む。
【００３０】
１つの実施形態では、ＣｏＭＰ送信ネットワークにおけるサービス提供セルは、プロセッサおよびメモリを含む。ここで、メモリは、プロセッサ実行可能な命令群を含んでいる。これら命令群は、プロセッサによって実行された場合、ＣｏＭＰ送信ネットワークのための共有初期化符号を生成し、ここで、共有初期化符号は、仮想サービス提供セル識別子を含む、共有初期化符号を用いてスクランブリング・シーケンス・ジェネレータを初期化し、共有初期化符号からスクランブリング・シーケンスを生成し、スクランブルされたデータを、スクランブリング・シーケンスを用いて生成する、ようにサービス提供セルを設定する。
【００３１】
１つの実施形態では、メモリは、プロセッサ実行可能なさらなる命令群を含んでいる。これら命令群は、プロセッサによって実行された場合、サービス提供セルおよびＣｏＭＰ送信ネットワークの他のセルに接続されたシステム・コントローラによって、ＣｏＭＰ送信ネットワークの他のセルへ、共有初期化符号を送信するようにサービス提供セルを設定する。
【００３２】
１つの実施形態では、メモリはさらに、プロセッサ実行可能な命令群を含んでいる。これら命令群は、プロセッサによって実行された場合、物理ダウンリンク制御チャネル（ＰＤＣＣＨ）で、サービス提供セルからユーザ機器（ＵＥ）へ共有初期化符号を送信するようにサービス提供セルを設定する。
【００３３】
１つの実施形態では、メモリは、プロセッサ実行可能な命令群を含んでいる。これら命令群は、プロセッサによって実行された場合、スクランブルされたデータを、第１の物理ダウンリンク共有データ・チャネル（ＰＳＤＣＨ）で、ＵＥへ送信するようにサービス提供セルを設定する。
【００３４】
１つの実施形態では、初期化符号は、ユーザ機器（ＵＥ）識別子、コードワード・インデクス、および送信スロット・インデクスを含む。１つの実施形態では、ＵＥ識別子は、仮想ＵＥ識別子を含み、コードワード・インデクスは、サービス提供セル・コードワード・インデクスと仮想コードワード・インデクスとのうちの１つを含み、送信スロット・インデクスは、サービス提供セル送信スロット・インデクスと仮想送信スロット・インデクスとのうちの１つを含む。
【００３５】
１つの実施形態では、初期化符号は、コードワード・インデクス、送信スロット・インデクス、および仮想サービス提供セル識別子を備える。
【００３６】
１つの実施形態では、ＣｏＭＰ送信ネットワークにおけるサービス提供セルは、プロセッサと、プロセッサ実行可能な命令群を含むメモリとを含む。これら命令群は、プロセッサによって実行された場合、ＣｏＭＰ送信ネットワークのための共有初期化符号を生成し、ここで、共有初期化符号は、仮想サービス提供セル識別子を含む、サービス提供セルおよびＣｏＭＰ送信ネットワークの他のセルに接続されたシステム・コントローラによって、ＣｏＭＰ送信ネットワークの別のセルへ、初期化符号を送信し、物理ダウンリンク制御チャネル（ＰＤＣＣＨ）で、ユーザ機器（ＵＥ）へ共有初期化符号を送信する、ようにサービス提供セルを設定する。１つの実施形態では、サービス提供セル識別子は、仮想サービス提供セル識別子を含む。
【００３７】
１つの実施形態では、メモリはさらに、プロセッサ実行可能な命令群を含む。これら命令群は、プロセッサによって実行された場合、共有初期化符号を用いてスクランブリング・シーケンス・ジェネレータを初期化し、共有初期化符号からスクランブリング・シーケンスを生成し、スクランブルされたデータを、スクランブリング・シーケンスを用いて生成し、スクランブルされたデータを、物理ダウンリンク共有チャネル（ＰＤＳＣＨ）で、ユーザ機器（ＵＥ）へ送信する、ようにサービス提供セルを設定する。
【００３８】
１つの実施形態では、初期化符号は、ＵＥ識別子、コードワード・インデクス、および送信スロット・インデクスを含む。１つの実施形態では、ＵＥ識別子は、仮想ＵＥ識別子を含む。１つの実施形態では、コードワード・インデクスは、サービス提供セル・コードワード・インデクスと仮想コードワード・インデクスとのうちの１つを含み、送信スロット・インデクスは、サービス提供セル送信スロット・インデクスと仮想送信スロット・インデクスとのうちの１つを含む。１つの実施形態では、初期化符号は、サービス提供セル識別子、コードワード・インデクス、および送信スロット・インデクスを含む。
【００３９】
１つの実施形態では、通信デバイスは、プロセッサと、プロセッサ実行可能な命令群を備えたメモリとを含む。これら命令群は、プロセッサによって実行された場合、ＣｏＭＰサービス提供セルから共有初期化符号を受信し、ここで、共有初期化符号は、協調マルチ・ポイント（ＣｏＭＰ）送信ネットワークのための共通のスクランブリング・シーケンスを生成するように構成される、共有初期化符号を、ＣｏＭＰ送信ネットワーク内の別のセルへ送信する、ように通信デバイスを設定する。１つの実施形態では、ＣｏＭＰ送信ネットワークにおける他のセルは、共有初期化符号を用いて生成されたスクランブリング・シーケンスを用いてデータをスクランブルするように構成される。
【００４０】
１つの実施形態では、メモリはさらに、プロセッサ実行可能な命令群を含む。これら命令群は、プロセッサによって実行された場合、第１のＰＤＳＣＨにおけるＣｏＭＰサービス提供セルと、第２のＰＤＳＣＨにおけるＣｏＭＰ送信ネットワークにおける別のセルとのうちの少なくとも１つから、スクランブルされたデータを受信するように通信デバイスを設定する。
【００４１】
１つの実施形態では、初期化符号は、コードワード・インデクス、送信スロット・インデクス、およびセル識別子を備える。１つの実施形態では、初期化符号はさらに、ＵＥ識別子を含む。１つの実施形態では、コードワード・インデクスは、サービス提供セル・コードワード・インデクスと仮想コードワード・インデクスとのうちの１つを含み、送信スロット・インデクスは、サービス提供セル送信スロット・インデクスと仮想送信スロット・インデクスとのうちの１つを含み、セル識別子は、サービス提供セル識別子と仮想セル識別子とのうちの１つを含む。１つの実施形態では、ＵＥ識別子は、仮想ＵＥ識別子を含む。
【００４２】
さまざまな実施形態のこれらおよびその他の機能は、これらの動作の方式および体系とともに、全体を通じて同一の参照番号が同一の部位を参照するために使用されている添付図面と連携された場合に、以下の詳細記述から明らかになるであろう。
【図面の簡単な説明】
【００４３】
提供される実施形態は、限定することなく、以下の添付図面の図において、一例として例示される。
【図１】図１は、無線通信システムを例示する。
【図２】図２は、通信システムのブロック図を例示する。
【図３】図３は、１つの実施形態におけるスクランブリング・シーケンス・ジェネレータを例示する。
【図４】図４は、１つの実施形態における協調マルチ・ポイント送信／受信のための無線通信システムを例示する。
【図５】図５は、１つの実施形態において、スクランブリングのために共有初期化符号を適用するように構成されたシステムを例示するブロック図である。
【図６】図６は、１つの実施形態において、イボルブド・ノード基地局（ｅノードＢ）における方法を例示するフローチャートである。
【図７Ａ】図７Ａは、１つの実施形態において、ユーザ機器における方法を例示するフローチャートである。
【図７Ｂ】図７Ｂは、１つの実施形態において、ユーザ機器における別の方法を例示するフローチャートである。
【図８】図８は、１つの実施形態におけるシステムを例示する。
【図９】図９は、無線通信システムにおいてデータを処理するための典型的な装置を例示する。
【発明を実施するための形態】
【００４４】
以下の記載では、説明の目的のために、限定することなく、開示されたさまざまな実施形態の完全な理解を提供するために、詳細および説明が記載されている。しかしながら、これらさまざまな実施形態は、これら具体的な詳細や説明から離れたその他の実施形態でも実現されうることが、当業者に明らかになるであろう。
【００４５】
本明細書において使用されるような用語「構成要素」、「モジュール」、「システム」等は、ハードウェア、ファームウェア、ハードウェアとソフトウェアの組み合わせ、ソフトウェア、あるいは実行中のソフトウェアのうちの何れかのようなコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信することができる。
【００４６】
さらに、本明細書では、ある実施形態が、ユーザ機器に関連して記載される。ユーザ機器はまた、ユーザ端末とも呼ばれ、システム、加入者ユニット、加入者局、移動局、モバイル無線端末、モバイル・デバイス、ノード、デバイス、遠隔局、遠隔端末、端末、無線通信デバイス、無線通信装置、またはユーザ・エージェントのうちのいくつかまたはすべてを含みうる。ユーザ機器は、セルラ電話、コードレス電話、セッション開始プロトコル（ＳＩＰ）電話、スマート・フォン、無線ローカル・ループ（ＷＬＬ）局、携帯情報端末（ＰＤＡ）、ラップトップ、ハンドヘルド通信デバイス、ハンドヘルド・コンピューティング・デバイス、衛星ラジオ、無線モデム・カード、および／または、無線システムによって通信するためのその他の制御デバイスでありうる。さらに、本明細書では、さまざまな態様が、基地局に関して記載される。基地局は、１または複数の無線端末と通信するために利用され、アクセス・ポイント、ノード、ノードＢ、イボルブド・ノードＢ(ｅＮＢ）、またはその他いくつかのネットワーク・エンティティと称され、これらの機能のうちのいくつかまたはすべてを含みうる。基地局は、エア・インタフェースで無線端末と通信する。この通信は、１または複数のセクタを介してなされうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、エア・インタフェースの属性管理を調整し、有線ネットワークと無線ネットワークとの間のゲートウェイでもありうる。
【００４７】
さまざまな態様、実施形態、または特徴が、多くのデバイス、構成要素、モジュール等を含むシステムの観点から示されるだろう。さまざまなシステムが、図面に関連して説明されるように、追加のデバイス、構成要素、モジュール等を含み、および／または、これらデバイス、構成要素、モジュール等のうちのすべてを含んでいるとは限らないことが理解および認識されるべきである。これらアプローチの組み合わせもまた使用されうる。
【００４８】
さらに、主題とする記載では、「典型的」という用語は、例、事例、または例示として役立つことを意味するために使用される。本明細書で「典型的」として記載された何れの実施形態または設計は、必ずしも、他の実施形態または設計に対して好適であるとも、有利であるとも解釈される必要はない。むしろ、「典型的」という用語を用いることは、概念を具体的な方式で表すことが意図されている。
【００４９】
開示されたさまざまな実施形態は、通信システムに組み込まれうる。一例では、このような通信システムは、システム帯域幅全体を、周波数サブチャネル、トーン、または周波数ビンとも称される複数（ＮＦ個）のサブキャリアに効率的に分割する直交周波数分割多重化（ＯＦＤＭ）を利用する。ＯＦＤＭシステムの場合、送信されるデータ（つまり情報ビット）は、符号化されたビットを生成するために特定の符号化スキームで最初に符号化される。また、符号化されたビットは、その後、変調シンボルにマッピングされるマルチ・ビット・シンボルへさらにグループ化される。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる各時間インタバルにおいて、ＮＦ個の周波数サブキャリアのおのおので変調シンボルが送信される。したがって、ＯＦＤＭは、システム帯域幅にわたる別の減衰量によって特徴付けられる周波数選択フェージングによって引き起こされるシステム間干渉（ＩＳＩ）と格闘するために使用されうる。
【００５０】
通常、無線多元接続通信システムは、複数の無線端末のための通信を同時にサポートしうる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【００５１】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。ＭＩＭＯシステムはまた、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、基地局において複数のアンテナが利用可能である場合、基地局は、順方向リンクで送信ビーム・フォーミング・ゲインを抽出できるようになる。
【００５２】
図１は、開示されたさまざまな実施形態が実現される無線通信システムを例示する。基地局１００は、複数のアンテナ・グループを含みうる。そして、おのおののアンテナ・グループは、１または複数のアンテナを含みうる。例えば、基地局１００が６つのアンテナを備えている場合、１つのアンテナ・グループは、第１のアンテナ１０４および第２のアンテナ１０６を備え、別のアンテナ・グループは、第３のアンテナ１０８および第４のアンテナ１１０を備えうる一方、第３のグループは、第５のアンテナ１１２および第６のアンテナ１１４を備えうる。上述したアンテナ・グループのおのおのは、２つのアンテナを有するものとして特定されているが、２つよりも多くの、または、２つよりも少ないアンテナも各アンテナ・グループで利用されうることが注目されるべきである。
【００５３】
図１に示すように、第１のユーザ機器１１６は、第１の順方向リンク１２０による第１のユーザ機器１１６への情報の送信と、第１の逆方向リンク１１８による第１のユーザ機器１１６からの情報の受信とを可能にするために、例えば、第５のアンテナ１１２および第６のアンテナ１１４と通信するように示されている。図１はまた、第２の順方向リンク１２６による第２のユーザ機器１２２への情報の送信と、第２の逆方向リンク１２４による第２のユーザ機器１２２からの情報の受信とを可能にするために、例えば、第３のアンテナ１０８および第４のアンテナ１１０と通信する第２のユーザ機器１２２を例示する。周波数分割デュプレクス（ＦＤＤ）システムでは、図１に示される通信リンク１１８、１２０、１２４、１２６は、通信のために、異なる周波数を使用しうる。例えば、第１の順方向リンク１２０は、第１の逆方向リンク１１８によって使用されるものとは異なる周波数を使用しうる。
【００５４】
いくつかの実施形態では、通信するように設計された領域および／またはアンテナのおのおののグループは、しばしば、基地局のセクタと称される。例えば、図１に図示される別のアンテナ・グループは、基地局１００のセクタ内のユーザ機器に通信するように設計されうる。順方向リンク１２０、１２６による通信では、基地局１００の送信アンテナは、異なるユーザ機器１１６、１２２のための順方向リンクの信号対雑音比を改善するために、ビームフォーミングを利用する。さらに、有効通信範囲エリア内にランダムに散在したユーザ機器に送信するためにビームフォーミングを用いる基地局は、近隣セル内のユーザ機器に対して、すべてのユーザ機器に対して単一のアンテナで全方向送信する基地局よりも、少ない干渉しかもたらさない。
【００５５】
開示されたさまざまな実施形態のうちのいくつかに適合しうるこれら通信ネットワークは、制御チャネルおよびトラフィック・チャネルへ分類される論理チャネルを含みうる。論理制御チャネルは、システム制御情報をブロードキャストするためのダウンリンク・チャネルであるブロードキャスト制御チャネル（ＢＣＣＨ）と、ページング情報を転送するダウンリンク・チャネルであるページング制御チャネル（ＰＣＣＨ）と、１またはいくつかのマルチキャスト・トラフィック・チャネル（ＭＴＣＨ）のためのマルチメディア・ブロードキャストおよびマルチキャスト・サービス（ＭＢＭＳ）スケジューリングおよび制御情報を送信するために使用されるポイント・トゥ・マルチポイント・ダウンリンク・チャネルであるマルチキャスト制御チャネル（ＭＣＣＨ）とを備えうる。一般に、ラジオ・リソース制御（ＲＲＣ）接続を確立した後、ＭＢＭＳを受信したユーザ機器によってのみＭＣＣＨが使用されうる。専用制御チャネル（ＤＣＣＨ）は、例えば、ＲＲＣ接続を有するユーザ機器によって使用されるユーザ特有の制御情報のような専用制御情報を送信するポイント・トゥ・ポイント双方向チャネルである別の論理制御チャネルである。また、共通制御チャネル（ＣＣＣＨ）は、ランダム・アクセス情報のために使用されうる論理制御チャネルである。論理トラフィック・チャネルは、ユーザ情報を転送するために、１つのユーザ機器に専用のポイント・トゥ・ポイント双方向チャネルである専用トラフィック・チャネル（ＤＴＣＨ）を備えうる。また、マルチキャスト・トラフィック・チャネル（ＭＴＣＨ）は、トラフィック・データのポイント・トゥ・マルチポイント・ダウンリンク送信のために使用されうる。
【００５６】
さまざまな実施形態のうちのいくつかに適合する通信ネットワークはさらに、ダウンリンク（ＤＬ）およびアップリンク（ＵＬ）に分類される論理伝送チャネルを含みうる。ＤＬ伝送チャネルは、ブロードキャスト・チャネル（ＢＣＨ）、ダウンリンク共有データ・チャネル（ＤＬ−ＳＤＣＨ）、マルチキャスト・チャネル（ＭＣＨ）、およびページング・チャネル（ＰＣＨ）を備えうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数の物理チャネルを備えうる。また、物理チャネルは、ダウンリンク・チャネルおよびアップリンク・チャネルからなるセットを含みうる。
【００５７】
開示されたいくつかの実施形態では、ダウンリンク物理チャネルは、共通パイロット・チャネル（ＣＰＩＣＨ）、同期チャンネル（ＳＣＨ）、共通制御チャネル（ＣＣＣＨ）、共有ダウンリンク制御チャネル（ＳＤＣＣＨ）、マルチキャスト制御チャネル（ＭＣＣＨ）、共有アップリンク割当チャネル（ＳＵＡＣＨ）、アクノレッジメント・チャネル（ＡＣＫＣＨ）、ダウンリンク物理共有データ・チャネル（ＤＬ−ＰＳＤＣＨ）、アップリンク電力制御チャネル（ＵＰＣＣＨ）、ページング・インジケータ・チャネル（ＰＩＣＨ）、負荷インジケータ・チャネル（ＬＩＣＨ）、物理ブロードキャスト・チャネル（ＰＢＣＨ）、物理制御フォーマット・インジケータ・チャネル（ＰＣＦＩＣＨ）、物理ダウンリンク制御チャネル（ＰＤＣＣＨ）、物理ハイブリッドＡＲＱインジケータ・チャネル（ＰＨＩＣＨ）、物理ダウンリンク共有チャネル（ＰＤＳＣＨ）、および、物理マルチキャスト・チャネル（ＰＭＣＨ）、のうちの少なくとも１つを含みうる。アップリンク物理チャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、アップリンク物理共有データ・チャネル（ＵＬ−ＰＳＤＣＨ）、およびブロードバンド・パイロット・チャネル（ＢＰＩＣＨ）、物理アップリンク制御チャネル（ＰＵＣＣＨ）、および物理アップリンク共有チャネル（ＰＵＳＣＨ）のうちの少なくとも１つを含みうる。
【００５８】
さらに、以下の用語および特徴が、開示されたさまざまな実施形態を記載するために使用されうる。  
３Ｇ  第３世代、  
３ＧＰＰ  第３世代パートナシップ計画、  
ＡＣＬＲ  隣接チャネル漏れ比率、  
ＡＣＰＲ  隣接チャネル電力比率、  
ＡＣＳ  隣接チャネル選択性、  
ＡＤＳ  アドバンスト設計システム、  
ＡＭＣ  適応変調および符号化、  
Ａ−ＭＰＲ  追加最大電力減少、  
ＡＲＱ  自動反復要求、  
ＢＣＣＨ  ブロードキャスト制御チャネル、  
ＢＴＳ  基地トランシーバ局、  
ＣＤＤ  サイクリック遅延ダイバーシティ、  
ＣＣＤＦ  余累積分布関数、  
ＣＤＭＡ  符号分割多元接続、  
ＣＦＩ  制御フォーマット・インジケータ、  
Ｃｏ−ＭＩＭＯ  協調ＭＩＭＯ、  
ＣＰ  サイクリック・プレフィクス、  
ＣＰＩＣＨ  共通パイロット・チャネル、  
ＣＰＲＩ  共通パブリック・ラジオ・インタフェース、  
ＣＱＩ  チャネル品質インジケータ、  
ＣＲＣ  巡回冗長検査、  
ＤＣＩ  ダウンリンク制御インジケータ、  
ＤＦＴ  離散フーリエ変換、  
ＤＦＴ−ＳＯＦＤＭ  離散フーリエ変換拡散ＯＦＤＭ、  
ＤＬ  ダウンリンク（基地局から加入者への送信）、  
ＤＬ−ＳＣＨ  ダウンリンク共有チャネル、  
ＤＳＰ  デジタル信号処理、  
ＤＴ  開発ツール・セット、  
ＤＶＳＡ  デジタル・ベクトル信号分析、  
ＥＤＡ  電子設計オートメーション、  
Ｅ−ＤＣＨ  エンハンスト専用チャネル、  
Ｅ−ＵＴＲＡＮ  イボルブドＵＭＴＳ地上ラジオ・アクセス・ネットワーク、  
ｅＭＢＭＳ  イボルブド・マルチメディア・ブロードキャスト・マルチキャスト・サービス、  
ｅＮＢ  イボルブド・ノードＢ、  
ＥＰＣ  イボルブド・パケット・コア、  
ＥＰＲＥ  リソース要素毎のエネルギ、  
ＥＴＳＩ  欧州電気通信標準協会、  
Ｅ−ＵＴＲＡ  イボルブドＵＴＲＡ、  
Ｅ−ＵＴＲＡＮ  イボルブドＵＴＲＡＮ、  
ＥＶＭ  誤りベクトル大きさ、  
ＦＤＤ  周波数分割デュプレクス、  
ＦＦＴ  高速フーリエ変換、  
ＦＲＣ  固定基準チャネル、  
ＦＳ１  フレーム構造タイプ１、  
ＦＳ２  フレーム構造タイプ２、  
ＧＳＭ（登録商標）  グローバル移動体通信システム、  
ＨＡＲＱ  ハイブリッド自動反復要求、  
ＨＤＬ  ハードウェア記述言語、  
ＨＩ  ＨＡＲＱインジケータ、  
ＨＳＤＰＡ  高速ダウンリンク・パケット・アクセス、  
ＨＳＰＡ  高速パケット・アクセス、  
ＨＳＵＰＡ  高速アップリンク・パケット・アクセス、  
ＩＦＦＴ  逆ＦＦＴ、  
ＩＯＴ  インタオペラビリティ・テスト、  
ＩＰ  インターネット・プロトコル、  
ＬＯ  局部発振器、  
ＬＴＥ  ロング・ターム・イボリューション、  
ＭＡＣ  媒体アクセス制御、  
ＭＢＭＳ  マルチメディア・ブロードキャスト・マルチキャスト・サービス、  
ＭＢＳＦＮ  単一周波数ネットワークによるマルチキャスト／ブロードキャスト、  
ＭＣＨ  マルチキャスト・チャネル、  
ＭＩＭＯ  複数入力複数出力、  
ＭＩＳＯ  複数入力単一出力、  
ＭＭＥ  モビリティ管理エンティティ、  
ＭＯＰ  最大出力電力、  
ＭＰＲ  最大電力減少、
ＭＵ−ＭＩＭＯ  複数ユーザＭＩＭＯ、  
ＮＡＳ  非アクセス階層、  
ＯＢＳＡＩ  オープン基地局アーキテクチャ・インタフェース、  
ＯＦＤＭ  直交周波数分割多重化、  
ＯＦＤＭＡ  直交周波数分割多元接続、  
ＰＡＰＲ  ピーク対平均電力比、  
ＰＡＲ  ピーク対平均比、  
ＰＢＣＨ  物理ブロードキャスト・チャネル、  
Ｐ−ＣＣＰＣＨ  プライマリ共通制御物理チャネル、  
ＰＣＦＩＣＨ  物理制御フォーマット・インジケータ・チャネル、  
ＰＣＨ  ページング・チャネル、  
ＰＤＣＣＨ  物理的ダウンリンク制御チャネル、  
ＰＤＣＰ  パケット・データ収束プロトコル、  
ＰＤＳＣＨ  物理ダウンリンク共有チャネル、  
ＰＨＩＣＨ  物理ハイブリッドＡＲＱインジケータ・チャネル、  
ＰＨＹ  物理レイヤ、  
ＰＲＡＣＨ  物理ランダム・アクセス・チャネル、  
ＰＭＣＨ  物理マルチキャスト・チャネル、  
ＰＭＩ  事前符号化行列インジケータ、  
Ｐ−ＳＣＨ  プライマリ同期信号、  
ＰＵＣＣＨ  物理アップリンク制御チャネル、  
ＰＵＳＣＨ  物理アップリンク共有チャネル。
【００５９】
図２は、さまざまな実施形態に適合する典型的な通信システムのブロック図を例示する。図２に例示されるＭＩＭＯ通信システム２００は、ＭＩＭＯ通信システム２００において、送信機システム２１０（例えば、基地局またはアクセス・ポイント）および受信機システム２５０（例えば、アクセス端末またはユーザ機器）を備える。当業者によれば、例示されるように、基地局が送信機システム２１０と称され、ユーザ機器が受信機システム２５０と称されていようとも、これらシステムの実施形態は、双方向通信が可能であることが認識されるだろう。この点において、用語「送信機システム２１０」および「受信機システム２５０」は、いずれかのシステムからの単一方向通信を意味するためには使用されるべきではない。さらに、図２の送信機システム２１０および受信機システム２５０はおのおの、図２に明示的に図示されていない他の複数の受信機システムおよび送信機システムと通信することができることも注目されるべきである。送信機システム２１０では、多くのデータ・ストリーム用のトラフィック・データが、データ・ソース２１２から送信（ＴＸ）データ・プロセッサ２１４に提供される。おのおののデータ・ストリームは、それぞれの送信機システムを介して送信されうる。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００６０】
おのおののデータ・ストリームの符号化されたデータは、例えばＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、送信機システム２１０のプロセッサ２３０によって実行される命令群によって決定されうる。
【００６１】
図２の典型的なブロック図では、すべてのデータ・ストリームの変調シンボルは、その後、ＴＸ  ＭＩＭＯプロセッサ２２０に提供される。ＴＸ  ＭＩＭＯプロセッサ２２０は、この変調シンボルを（例えば、ＯＦＤＭのために）さらに処理する。ＴＸ  ＭＩＭＯプロセッサ２２０はその後、ＮＴ個の変調シンボル・ストリームを、ＮＴ個の送信機システム・トランシーバ（ＴＭＴＲ）２２２ａ乃至２２２ｔへ提供する。１つの実施形態において、ＴＸ  ＭＩＭＯプロセッサ２２０はさらに、データ・ストリームのシンボル、および、このシンボルが送信されるアンテナへ、ビームフォーミング重みを適用する。
【００６２】
おのおのの送信機システム・トランシーバ２２２ａ乃至２２２ｔは、１または複数のアナログ信号を提供するために、それぞれのシンボル・ストリームを受信して処理し、さらには、ＭＩＭＯチャネルを介した送信に適切な変調信号を提供するために、このアナログ信号を調整する。いくつかの実施形態では、この調整は、限定される訳ではないが、例えば増幅、フィルタ、アップ・コンバート等のような動作を含みうる。送信機システム・トランシーバ２２２ａ乃至２２２ｔによって生成された変調信号は、その後、図２に示されている送信機システム・アンテナ２２４ａ乃至２２４ｔから送信される。
【００６３】
受信機システム２５０では、送信された変調信号が、受信機システム・アンテナ２５２ａ乃至２５２ｒによって受信され、受信機システム・アンテナ２５２ａ乃至２５２ｒのおのおのから受信した信号が、それぞれの受信機システム・トランシーバ（ＲＣＶＲ）２５４ａ乃至２５４ｒへ提供される。おのおのの受信機システム・トランシーバ２５４ａ乃至２５４ｒは、それぞれの受信信号を調整し、この調整された信号をデジタル化してサンプルを提供し、さらにこのサンプルを処理して、対応する「受信された」シンボル・ストリームを提供する。いくつかの実施形態では、この調整は、限定される訳ではないが、例えば増幅、フィルタ、ダウン・コンバート等のような動作を含みうる。
【００６４】
ＲＸデータ・プロセッサ２６０は、その後、受信機システム・トランシーバ２５４ａ乃至２５４ｒからシンボル・ストリームを受信し、受信されたこれらシンボル・ストリームを、特定の受信機処理技術に基づいて処理して、複数個の「検出された」シンボル・ストリームを提供する。一例において、検出されたおのおののシンボル・ストリームは、対応するデータ・ストリームのために送信されたシンボルの推定値であるシンボルを含みうる。ＲＸデータ・プロセッサ２６０は、その後、検出されたおのおののシンボル・ストリームの復調、デインタリーブ、復号、対応するデータ・ストリームのためのトラフィック・データの復元の少なくとも一部を行う。ＲＸデータ・プロセッサ２６０によるこの処理は、送信機システム２１０におけるＴＸ  ＭＩＭＯプロセッサ２２０およびＴＸデータ・プロセッサ２１４によって実行されるものに相補的である。ＲＸデータ・プロセッサ２６０は、さらに、処理されたシンボル・ストリームを、データ・シンク２６４へ提供しうる。
【００６５】
いくつかの態様によれば、受信機システム２５０における空間／時間処理の実行、電力レベルの調節、変調レートまたはスキームの変更、および／または、その他の適切な動作のために、ＲＸ  ＭＩＭＯ／データ・プロセッサ２６０によって生成されたチャネル応答推定値が使用されうる。それに加えて、ＲＸデータ・プロセッサ２６０はさらに、例えば、検出されたシンボル・ストリームの信号対雑音比（ＳＮＲ）や、信号対干渉比（ＳＩＲ）のようなチャネル特性を推定しうる。ＲＸデータ・プロセッサ２６０はその後、推定されたチャネル特性を、プロセッサ２７０へ提供しうる。一例において、受信機システム２５０のＲＸデータ・プロセッサ２６０および／またはプロセッサ２７０はさらに、このシステムのための「動作」ＳＮＲの推定値を導出しうる。受信機システム２５０のプロセッサ２７０はその後、通信リンクおよび／または受信したデータ・ストリームに関する情報を含みうるチャネル状態情報（ＣＳＩ）をも提供しうる。例えば、動作ＳＮＲおよびその他のチャネル情報を含みうるこの情報は、例えば、ユーザ機器スケジューリング、ＭＩＭＯ設定、変調および符号化選択等に関する適切な決定を行うために、送信機システム２１０（例えば、基地局またはｅノードＢ）によって使用されうる。受信機システム２５０では、プロセッサ２７０によって生成されたＣＳＩが、ＴＸデータ・プロセッサ２３８によって処理され、変調器２８０によって変調され、受信機システム・トランシーバ２５４ａ乃至２５４ｒによって調整され、送信機システム２１０へ返送される。それに加えて、受信機システム２５０におけるデータ・ソース２３６が、ＴＸデータ・プロセッサ２３８によって処理されるべき追加データを提供しうる。
【００６６】
いくつかの実施形態では、受信機システム２５０におけるプロセッサ２７０はさらに、どの事前符号化行列を使用するのかを定期的に決定しうる。プロセッサ２７０は、行列インデクス部およびランク値部を備えた逆方向リンク・メッセージを規定する。これら逆方向リンク・メッセージは、通信リンクおよび／または受信データ・ストリームに関するさまざまなタイプの情報を含みうる。逆方向リンク・メッセージはその後、データ・ソース２３６から多くのデータ・ストリームのトラフィック・データをも受信する、受信機システム２５０におけるＴＸデータ・プロセッサ２３８によって処理されうる。処理された情報は、その後、変調器２８０によって変調され、受信機システム・トランシーバ２５４ａ乃至２５４ｒのうちの１または複数によって調整され、送信機システム２１０へ返送される。
【００６７】
ＭＩＭＯ通信システム２００のいくつかの実施形態では、受信機システム２５０は、空間的に多重化された信号を受信し、処理することができる。これらのシステムでは、異なるデータ・ストリームを多重化し、送信機システム・アンテナ２２４ａ乃至２２４ｔで送信することによって、送信機システム２１０において空間的な多重化が引き起こる。これは、複数の送信機システム・アンテナ２２４ａ乃至２２４ｔから、同じデータ・ストリームが送信される、送信ダイバーシティ・スキームを用いることとは対照的である。空間的に多重化された信号を受信および処理することができるＭＩＭＯ通信システム２００では、送信機システム・アンテナ２２４ａ乃至２２４ｔのおのおのから送信された信号が、互いに十分に相関付けられないようにするために、一般に、送信機システム２１０において、事前符号化行列が使用される。この非相関性は、任意の特定の受信機システム・アンテナ２５２ａ乃至２５２ｒに到着する合成信号が受信されることと、他の送信機システム・アンテナ２２４ａ乃至２２４ｔからの、他のデータ・ストリームを伝送する信号が存在する場合、個々のデータ・ストリームが決定されることと、を保証する。
【００６８】
ストリーム間の相互相関量は、環境によって影響されうるので、受信機システム２５０が、受信した信号に関する情報を、送信機システム２１０にフィードバックすることが有利である。これらのシステムでは、送信機システム２１０と受信機システム２５０との両方が、多くの事前符号化行列を備えたコードブックを含む。いくつかの事例では、これら事前符号化行列のおのおのは、受信信号で受けた相互相関量に関連しうる。行列における値とは異なる、特定の行列のインデクスを送信することが有利であるので、受信機システム２５０から送信機システム２１０へ送信されたフィードバック制御信号は、一般に、特定の事前符号化行列のインデクスを含む。いくつかの事例では、フィードバック制御信号はまた、空間多重化において、いくつの独立したデータ・ストリームを使用するのかを送信機システム２１０に示すランク・インデクスをも含む。
【００６９】
ＭＩＭＯ通信システム２００の別の実施形態は、上述した空間多重化スキームの代わりに、送信ダイバーシティ・スキームを利用するように構成される。これらの実施形態では、同じデータ・ストリームが、送信機システム・アンテナ２２４ａ乃至２２４ｔによって送信される。これらの実施形態では、受信機システム２５０に配信されるデータ・レートは、一般に、空間的に多重化されたＭＩＭＯ通信システム２００よりも低い。これらの実施形態は、通信チャネルのロバスト性および信頼性を提供する。送信ダイバーシティ・スキームでは、送信機システム・アンテナ２２４ａ乃至２２４ｔから送信された信号のおのおのは、異なる干渉環境（例えば、フェージング、反射、マルチ・パス・フェーズ・シフト）を受けるだろう。これらの実施形態では、受信機システム・アンテナ２５４ａ乃至２５４ｒにおいて受信された異なる信号特性が、適切なデータ・ストリームを決定する際に役立つ。これらの実施形態では、ランク・インジケータは、一般に、１に設定され、送信機システム２１０に対して、空間多重化を使用しないように伝える。
【００７０】
他の実施形態は、空間多重化と送信ダイバーシティとの組み合わせを利用しうる。例えば、４つの送信機システム・アンテナ２２４ａ乃至２２４ｔを利用するＭＩＭＯ通信システム２００では、第１のデータ・ストリームが、送信機システム・アンテナ２２４ａ乃至２２４ｔのうちの２つで送信され、第２のデータ・ストリームが、残りの２つの送信機システム・アンテナ２２４ａ乃至２２４ｔで送信される。これらの実施形態では、ランク・インデクスは、事前符号化行列のフル・ランクよりも低い整数に設定され、送信機システム２１０に対して、空間多重化と送信ダイバーシティとの組み合わせを適用するように指示する。
【００７１】
基地局２１０では、受信機システム２５０からの変調信号が、送信機システム・アンテナ２２４ａ乃至２２４ｔによって受信され、送信機システム・トランシーバ２２２ａ乃至２２２ｔによって調整され、送信機システム復調器２４０によって復調され、ＲＸデータ・プロセッサ２４２によって処理されて、受信機システム２５０によって送信された逆方向リンク・メッセージが抽出される。いくつかの実施形態では、送信機システム２１０のプロセッサ２３０は、その後、将来の順方向リンク送信のために、どの事前符号化行列を使用するのかを決定し、その後、抽出されたメッセージを処理する。他の実施形態では、プロセッサ２３０は、受信した信号を、将来の順方向リンク送信のために、ビームフォーミング重みを調節するために使用する。
【００７２】
その他の実施形態では、レポートされたＣＳＩが、送信機システム２１０のプロセッサ２３０へ提供され、例えば、１または複数のデータ・ストリームのために使用されるべき符号化および変調スキームのみならずデータ・レートを決定するために使用されうる。決定された符号化および変調スキームはその後、量子化および／または受信機システム２５０へのその後の送信において使用するために、送信機システム２１０における１または複数の送信機システム・トランシーバ２２２ａ乃至２２２ｔへ提供されうる。それに加えて、および／または、その代わりに、レポートされたＣＳＩは、ＴＸデータ・プロセッサ２１４およびＴＸ  ＭＩＭＯプロセッサ２２０のためのさまざまな制御を生成するために、送信機システム２１０のプロセッサ２３０によって使用されうる。１つの例では、送信機システム２１０のＲＸデータ・プロセッサ２４２によって処理されたＣＳＩおよび／またはその他の情報が、データ・シンク２４４へ提供されうる。
【００７３】
いくつかの実施形態では、送信機システム２１０におけるプロセッサ２３０および受信機システム２５０におけるプロセッサ２７０は、それぞれのシステムにおける動作を指示する。さらに、送信機システム２１０におけるメモリ２３２と、受信機システム２５０におけるメモリ２７２とが、送信機システム・プロセッサ２３０および受信機システム・プロセッサ２７０のそれぞれによって使用されるプログラム・コードとデータのためのストレージを提供する。さらに、受信機システム２５０では、さまざまな処理技術が、ＮＴ個の送信されたシンボル・ストリームを検出するために、ＮＲ個の受信信号を処理するために使用されうる。これらの受信機処理技術は、空間的および空間／時間受信機処理技術を含みうる。これらは、等値化技術、「連続ヌルイング／等値化および干渉除去」受信機処理技術、および／または、「連続干渉除去」または「連続除去」受信機処理技術を含みうる。
【００７４】
ＬＴＥ  Ｒｅｌ−８では、物理ダウンリンク・レイヤの役割は、主として、ｅノードＢとユーザ機器（ＵＥ）との間のラジオ・インタフェースを介した送信のために、データを、信頼できる信号に変換することである。各データのブロックは、先ず、チャネル符号化との送信誤りに対して保護される。ＬＴＥ  Ｒｅｌ−８では、コードワードは、媒体アクセス制御（ＭＡＣ）レイヤから物理レイヤへ配信された単一の伝送ブロック（ＴＢ）に対応する、独立して符号化されたデータ・ブロックであり、ＣＲＣによって保護される。
【００７５】
送信のランクに依存して、１または２つのコードワードが存在しうる。ここで、ランクは、空間レイヤの数に等しい。空間レイヤは、空間多重化によって生成された異なるストリームのために、ＬＴＥにおいて使用される用語であり、シンボルの送信アンテナ・ポートへのマッピングとして説明されうる。１より高いランクの場合、２つのコードワードが送信されうる。コードワードの数は常にレイヤの数以下であり、レイヤの数は常にアンテナ・ポートの数以下である。
【００７６】
チャンネル符号化の後の、ダウンリンクＬＴＥ信号の生成が、図３に例示される。コードワード３０１は、スクランブリング・ステージ３０２でスクランブルされる。スクランブリング・ステージ３０２の後、おのおののチャネルからのデータ・ビットが、変調マッパ３０４内の複素数値変調シンボルにマップされる。その後、レイヤ・マッパ３０６におけるレイヤにマップされる。おのおののレイヤ３０７は、プリコーダ３０８において事前符号化される。ここで、おのおののレイヤは、送信アンテナ・ポートの数に等しいサイズの事前符号化ベクトルによって識別される。おのおののレイヤにおけるデータは、その後、リソース要素（ＲＥ）マッパ３１０内のＲＥにマップされる。リソース要素は、ＬＴＥにおけるリソースの最小単位であり、１つのＯＦＤＭシンボルの持続期間について、１つのＯＦＤＭサブキャリアを備えている。最後に、ＲＥは、ＯＦＤＭ信号ジェネレータ３１２におけるＩＦＦＴによって、複素数値ＯＦＤＭ信号へ変換され、アンテナ・ポート３１３へ出力される。
【００７７】
スクランブリングは、すべてのダウンリンク物理チャネルへ適用され、干渉排除のために役立つ。すべての場合において、スクランブリング・シーケンスは、次数３１のゴールド符号を使用する。これは、互いにサイクリック・シフトではない２３１個のシーケンスを提供しうる。ゴールド符号はまた、単純なシフト・レジスタから生成されうる２つの最大長シーケンス（Ｍシーケンスとして知られている）にモジュロ２を追加することにより導出されるので、極めて低い複雑さで生成されうる、魅力的な特徴を備えている。ＬＴＥ  Ｒｅｌ−８スクランブリング・シーケンス・ジェネレータの典型的なシフト・レジスタ実装が、図４に例示されている。
【００７８】
図４に例示するように、スクランブリング・シーケンス・ジェネレータ４００は、３１ビットの最大長線形フィードバック・シフト・レジスタ４０１、４０２を含む。シフト・レジスタ４０１、４０２はそれぞれ、（ｘ３１＋ｘ２８＋１）および（ｘ３１＋ｘ３０＋ｘ２９＋ｘ２８＋１）の固有多項式を持ち、これらの出力は、加算器４０３においてモジュロ２が加えられる。
【００７９】
ＬＴＥ  Ｒｅｌ−８のＰＤＳＣＨ送信の場合、スクランブリング・シーケンス・ジェネレータ（例えば、ジェネレータ４００）は、  
【数１】
2014140199.tif 000003
【００８０】
にしたがって、セルの識別情報（９ビット）、送信スロット・インデクス（５ビット）、コードワード・インデクス（１ビット）、およびＵＥ識別子（１６ビット）に基づいて、符号化ビットのブロックを用いて、各サブフレームの開始時において初期化される。ここで、ｎＲＮＴＩは、ＰＤＳＣＨ送信に関連付けられたラジオ・ネットワーク・テンポラリ識別子（ＲＮＴＩ）に対応し、ｑは、コードワード・インデクス（０または１）であり、ｎｓは、スロット・インデクス（０乃至１９）であり、ＮＩＤｃｅｌｌは、所与のセルのＩＤである。これは、図４に例示される。さらに、各初期化の後に、隣接セルにおいて使用されるシーケンス間の低い相互相関を保証するために、１６００の場所の高速転送が適用される。
【００８１】
物理アップリンク共有チャネル（ＰＵＳＣＨ）送信の場合、類似の処理がなされ、ＵＥにおけるスクランブリング・シーケンス・ジェネレータが初期化される。しかしながら、アップリンクの場合、スクランブリング初期化符号は、  
【数２】
2014140199.tif 000004
【００８２】
によって与えられる。ここで、ｎＲＮＴＩおよびＮＩＤｃｅｌｌは上記定義された通りであり、ｎｓは、アップリンク送信フレームの送信スロット・インデクスである。アップリンクのための初期化符号の構造は、アップリンク初期化符号に関連付けられたコードワード・インデクスｑが存在しないという点において、ダウンリンクの場合とは異なる。
【００８３】
このアプローチは、セル間およびＵＥ間の干渉をランダム化する一方、協調マルチ・ポイント送信の管理における追加の動作およびオーバヘッドをももたらすであろう。ダウンリンク協調マルチ・ポイント（ＤＬ−ＣｏＭＰ）送信は、同じＵＥに同時にサービス提供する複数のセルを有することを可能とする。すなわち、複数のセルが、同じＵＥへほぼ同時にＰＤＳＣＨを送信しうる。いくつかの態様では、制御シグナリング（ＰＤＳＣＨ）が（サービス提供セルとして示された）１つのセルのみから送信される。したがって、ＤＬ−ＣｏＭＰに含まれるすべてのセルのために、同一のＰＤＳＣＨスクランブリングを有することが望ましい。これは、特に、単一ポイント送信とマルチ・ポイント（ＣｏＭＰ）送信との間、−ＵＥ透過なシングル・ポイント送信／マルチ・ポイント送信間における動的な切換の場合に妥当である。透過的な動作のために、所与のＵＥへの統合送信に参加している異なるセルからの基準信号（ＲＳ）およびデータのスクランブリングは、同じでなければならない。しかしながら、式（１）で与えられた初期化符号は、セル特有であると認識されるだろう。ここで、現在の方式は、異なるセルについて異なるＰＤＳＣＨスクランブリング・シーケンスとなるであろう。また、ＵＥ特有のＩＤ（ｎＲＮＴＩ）は、前述されたＰＤＳＣＨスクランブリング・シーケンス初期化に含まれることに注目されたい。
【００８４】
図５は、それぞれ基地局５０２、５０４、５０６を有する無線ネットワークにおけるセル（５０１、５０３、５０５）のクラスタを例示する。例えば、ＤＬ−ＣｏＭＰモードにおいて、セクタ５０７内の基地局５０２と、セクタ５０８内の基地局５０４との通信を維持するために、ＵＥ５１０は、２つの異なる初期化符号に基づいて、２つの異なるスクランブリング・シーケンスを生成しうる。１つのスクランブリング・シーケンスは、基地局５０２のセルＩＤ、ＵＥ５１０のＲＮＴＩ、基地局５０２のコードワード・インデクス、および、基地局５０２の送信スロット・インデクスに基づいて、初期化符号から生成されるだろう。別のスクランブリング・シーケンスは、基地局５０４のセルＩＤ、ＵＥ５１０のＲＮＴＩ、基地局５０４のコードワード・インデクス、および、基地局５０４の送信スロット・インデクスに基づいて、初期化符号から生成されるだろう。さらに、ＵＥ５１０がモバイルであり、セル５０５内の基地局５０６の範囲に移動すると、ＵＥ５１０は、送信中、基地局５０６に関連付けられたパラメータに基づいて、第３のスクランブリング・シーケンスを生成する必要がありうる。これらすべての複雑さにより、顕著な量の制御チャネル・シグナリング・オーバヘッドがもたらされる。
【００８５】
このようなさらなる複雑さは、本開示の態様にしたがって、ＤＬ−ＣｏＭＰについて回避されうる。セル特有のスクランブリングの問題に対処するために、１つの実施形態における方法は、事前に指定されたサービス提供セルのセルＩＤを使用するために、ＤＬ−ＣｏＭＰ動作に含まれるすべてのセルのために提供するべきである。すなわち、  
【数３】
2014140199.tif 000005
【００８６】
ここで、  
【数４】
2014140199.tif 000006
【００８７】
は、所与のセルが実際のサービス提供セルであろうとなかろうと、指定されたサービス提供セルのＩＤである。他の可能性は、例えばセル５０１、５０３，５０５のようなセルのクラスタに関連付けられた仮想ＩＤを割り当てることである。このような仮想ＩＤは、準静的に設定され、ＵＥへ示されうる。この場合、初期化符号は、  
【数５】
2014140199.tif 000007
【００８８】
のように与えられる。クラスタＩＤまたは仮想ＩＤは、ＵＥにサービス提供しているセルＩＤにリンクしているかも、していないかもしれないことに注目されない。
【００８９】
ＤＬ−ＣｏＭＰ動作に含まれるセルの複雑さを低減するために、スクランブリング動作のために使用される初期化符号から、ＵＥ  ＩＤを省略することが望ましい。この場合、初期化符号は、  
【数６】
2014140199.tif 000008
【００９０】
に簡略化される。ここでＮＩＤは、クラスタを表す仮想ＩＤであるかサービス提供セルＩＤである。この場合、スクランブリング・シーケンス・ジェネレータにおけるビットは、ＬＴＥ  Ｒｅｌ−８要件との互換性を維持するために、ゼロを用いてパディングされうる。あるいは、上述した仮想セルＩＤのような仮想ＵＥ  ＩＤ  ｎｖｉｒｔｕａｌが使用され、これによって、初期化符号は、  
【数７】
2014140199.tif 000009
【００９１】
のように定義されるようになる。
【００９２】
ＣｏＭＰ動作に含まれるセルの場合、これらのセルは、少なくともサブフレーム境界で揃っていなければならないことが期待される。しかしながら、異なるセルは、異なるサブフレーム・インデクスを有することが可能である。例えば、セル５０１は、サブフレーム０、１、２、３等において揃っている一方、セル５０３は、サブフレーム１、２、３、４等において揃っている。すなわち、これら２つのセルは、サブフレーム境界が揃えられている。しかしながら、必ずしもサブフレーム・インデクスは揃えられる必要はない（すなわち、完全に同期している訳ではない、または、ラジオ・フレームが揃えられていない）。この場合、上記スクランブリングにおいて使用される値ｎｓは、含まれているすべてのセルについて同じでなければならず、サービス提供セルのサブフレーム・インデクスに基づきうるか、または、仮想サブフレーム／スロット・インデクスに基づきうる。ここでは、含まれるすべてのセルが、共通の値を交換および共有する。
【００９３】
同様に、送信スロット・インデクスは、例えば、サービス提供セルのスロット・インデクスと、あるいは、クラスタに割り当てられた仮想スロット・インデクスと交換されうる。同じアプローチが、コードワード・インデクスに適用され、サービス提供セルのコードワード・インデクスまたは仮想コードワードが割り当てられる。スクランブリング・シーケンス初期化符号のためのパラメータに対するこれらの変更は、クラスタにおける他のＵＥの通常動作に影響を与えないであろうことが注目されるべきである。初期化符号の仮想パラメータを用いることは、ＣｏＭＰセル内の他のＵＥに関して、ＣｏＭＰスクランブリング・シーケンスのランダム性に悪影響を与えないであろうことが注目されるべきである。
【００９４】
上述したように、物理アップリンク共有チャネル（ＰＵＳＣＨ）のために、ＵＥにおいて使用される初期化符号は、（アップリンクに関連しない）コードワード・インデクスが無いという点を除いて、ＰＤＣＣＨのための初期化符号と同じ構造を有する。したがって、ダウンリンク・スクランブリング初期化符号について説明された構成のすべては、コードワード・オプションを除いて、アップリンクに適用されうる。すなわち、本開示によれば、アップリンク・スクランブリング初期化符号は、サービス提供セル識別子または仮想サービス提供セル識別子、ＵＥ識別子または仮想ＵＥ識別子、ＵＥ送信スロット・インデクスまたは仮想ＵＥ送信スロット・インデクスを使用しうる。同様に、アップリンク・スクランブリング初期化符号は、ＵＥ識別子を省略しうる。
【００９５】
同様のアプローチが、ＣｏＭＰ送信に含まれるすべてのセルについてのＵＥ基準信号（ＵＥ−ＲＳ）をスクランブルするためのスクランブリング・シーケンスを生成するために使用されうる。
【００９６】
ＵＥ−ＲＳシーケンスを初期化するための１つのアプローチが、  
【数８】
2014140199.tif 000010
【００９７】
によって与えられる。ここで、すべてのパラメータは、上記で定義されている。含まれるすべてのセルについて同じＵＥ−ＲＳランダム・シーケンスを生成するために、上述したものと同じ設計原理が同様に適用可能であり、特に、Ｃｉｎｉｔは、  
【数９】
2014140199.tif 000011
【００９８】
のように定義されうる。ここで、ＮＩＤは、指定されたサービス提供セルＩＤまたは仮想セルＩＤである。
【００９９】
ＣｏＭＰセル間で、これら共通初期化パラメータ値を仮想的またはそれ以外で通信することは、例えば図５におけるシステム・コントローラ５２０のようなバックホール・コントローラによって達成され、以下により詳細に記載される。
【０１００】
アップリンクに関し、ＵＥは、関連するパラメータ（すなわち、サービス提供セル識別子およびＵＥ識別子）を受信し、その後、物理アップリンク共有チャネル（ＰＵＳＣＨ）におけるスクランブルされた送信を可能にするために、アップリンク初期化符号パラメータ（サービス提供セル識別子、ＵＥ識別子、およびＵＥ送信スロット・インデクス）を、物理アップリンク制御チャネル（ＰＵＣＣＨ）を介して、ＵＬ−ＣｏＭＰ（すなわち、ポイント・トゥ・マルチポイント）送信ネットワークに参加している他のセルへ送信しうる。
【０１０１】
図８は、１つの典型的な実施形態にしたがうシステム８００を例示する。図８では、基地局８１０は、ＣｏＭＰサービス提供セルとして指定され、基地局８２０は、ＣｏＭＰ送信ネットワークにおけるＣｏＭＰセルであり、ユーザ機器（ＵＥ）８３０は、ＤＬ−ＣｏＭＰのために設定されたＵＥである。システム８００は、ＤＬ−ＣｏＭＰ送信に含まれる基地局およびＵＥのおのおのにおいて、初期化符号ジェネレータ８０１とスクランブリング・シーケンス・ジェネレータ８０２とを適用する。基地局８１０は、ダウンリンク８０３によってＵＥ８３０と通信する。ダウンリンク８０３は、物理ダウンリンク制御チャネルＰＤＣＣＨ８０４と、物理ダウンリンク共有チャネル８０５とをサポートする。基地局８２０は、ダウンリンク８０６でＵＥ８３０と通信する。ダウンリンク８０６は、ＰＤＣＣＨ８０７およびＰＤＳＣＨ８０９をサポートする。一方、ＵＥ８３０は、アップリンク８１０によって基地局８２０と通信する。アップリンク８１０は、物理アップリンク制御チャネル（ＰＵＣＣＨ）８１１と物理アップリンク共有チャネル（ＰＵＳＣＨ）８１２とをサポートする。基地局８１０と基地局８２０との間の通信は、システム・コントローラ８４０によって管理される。図８は、２つ基地局および１つのＵＥしか例示していないが、提供された実施形態は、これに限定されず、２つよりも多くの基地局および１つよりも多くのＵＥを含みうることが認識されるだろう。
【０１０２】
一般に、システム８００は、ＣｏＭＰ送信ネットワークに含まれるＵＥ（共同で、ＣｏＭＰが参加する）および各基地局におけるシーケンス生成をスクランブルするための共有初期化符号を生成する。そして、おのおののＣｏＭＰ参加者は、例えば当該技術分野で知られているように、ハードウェア、ソフトウェア、ファームウェア、またはこれらの組み合わせで実施されうるスクランブリング・シーケンス・ジェネレータ８０２と、例えば当該技術分野で知られているように、ハードウェア、ソフトウェア、ファームウェア、またはこれらの組み合わせで実施されうる初期化符号ジェネレータ８０１とを含む。
【０１０３】
一般に、システム８００は、ＣｏＭＰ基地局とＵＥとの間のＰＤＳＣＨのために、同一の共有スクランブリング初期化符号を生成し、これによって、単一ポイントＣｏＭＰ送信とマルチ・ポイントＣｏＭＰ送信との間の切換動作を最適化するために、同一の（すなわち、共通の）シーケンスが、ダウンリンク（ＤＬ）協調マルチ・ポイント送信／受信（ＣｏＭＰ）動作に含まれるすべてのセルによって生成されるようになる。同様に、システム８００は、ＣｏＭＰ動作のために設定されたＵＥと、ＣｏＭＰ基地局との間のＰＵＳＣＨ送信のために、同一の、共有スクランブリング初期化符号を生成する。これによって、ＰＵＳＣＨにおけるデータ送信をスクランブルするために使用されるスクランブリング・シーケンスは、ＰＵＳＣＨにおけるデータ送信を逆スクランブルするためにＣｏＭＰ基地局で使用されるスクランブリング・シーケンスと同じようになる。
【０１０４】
１つの態様では、所与のセルがサービス提供セルであろうがなかろうが、ＤＬ−ＣｏＭＰに含まれるすべてのセルが、同じサービス提供セル識別子（ＩＤ）を適用しうる。セルＩＤはパラメータとしてセル間で渡されうる。ここで、セルのおのおのは、初期化中、同じセルＩＤを適用する。別の態様では、ＤＬ−ＣｏＭＰ動作またはＤＬ−ＣｏＭＰ通信に含まれるセルのおのおのによって、仮想ＩＤが生成され適用される。繰り返すが、サービス提供セルのみならず、すべてのセルに対して、同じセルＩＤを利用するように要求することによって、単一ポイントＣｏＭＰ送信とマルチ・ポイントＣｏＭＰ送信との間の切り換えが容易とされうる。
【０１０５】
図８のシステム８００では、基地局８１０（ＣｏＭＰサービス提供セル）は、実際のセル識別子または仮想セル識別子、実際のコードワード・インデクスまたは仮想コードワード・インデクス、実際の送信スロット・インデクスまたは仮想送信スロット・インデクス、および、オプションとして、ＵＥ８３０の実際の識別子または仮想識別子に基づいて、初期化符号ジェネレータ８０１を用いて共有初期化符号を生成するように構成される。基地局８１０は、ＰＤＣＣＨ８０４を用いてダウンリンク８０３でＵＥ８３０へ共有初期化符号を送信するように構成される。
【０１０６】
基地局８１０はまた、システム・コントローラ８４０によって、基地局８２０（ＣｏＭＰセル）へ共有初期化符号パラメータを送信するように構成される。基地局８２０は、共有初期化符号をローカルに生成し、ローカル・スクランブリング・シーケンス・ジェネレータ８０２を初期化し、ＰＤＣＣＨ８０７でダウンリンク８０６でＵＥ８３０へ送信されるべきデータをスクランブルするように構成される。
【０１０７】
ＵＥ８３０は、ＰＤＣＣＨ８０４で共有初期化符号または符号パラメータを受信して、ジェネレータ８０１において共有初期化符号をローカルに生成し、ローカル・シーケンス・ジェネレータ８０２を初期化し、初期化符号に基づいて、逆スクランブリング・シーケンスを生成する、ように構成される。ＵＥ８３０はさらに、スクランブルされたデータを、ＰＤＳＣＨ８０３で基地局８１０から、および、ＰＤＳＣＨ８０９で基地局８２０から受信し、スクランブルされたデータを、逆スクランブリング符号を用いて、逆スクランブルする、ように構成される。
【０１０８】
他の実施形態では、基地局８１０は、基地局８２０へ初期化符号を送信しない。代わりに、ＵＥ８３０が、ＰＤＣＣＨ８０４で基地局８１０から初期化符号を受信した後に、初期化符号を、物理アップリンク制御チャネル８１１によって、アップリンク８１０で基地局８２０へ送信する。ＵＥ８３０から初期化符号を受信した後、上述したように、基地局８２０は、この符号を処理し、データをスクランブルし、ＵＥ８３０へデータを送信する。
【０１０９】
別の実施形態では、ＵＥ８３０が、基地局８１０から、サービス提供セル識別子または仮想サービス提供セル識別子、および、ＵＥ識別子または仮想ＵＥ識別子を受信する。ＵＥ８３０は、その後、サービス提供セル識別子（実際または仮想）、ＵＥ識別子（実際または仮想）、および、ＵＥ（実際または仮想）に関連付けられたＰＵＳＣＨ送信スロット・インデクスを用いて、ＰＵＳＣＨ  ＣｏＭＰ送信のためのＵＬ−ＣｏＭＰ初期化符号を生成し、初期化符号またはこのパラメータを、ＰＵＣＣＨ８１１で基地局８２０へ（および、図示しない別のＰＵＣＣＨで基地局８１０へ）送信しうる。ＵＥ８３０は、その後、スクランブルされたＵＬ−ＣｏＭＰデータを、それぞれのＰＵＳＣＨで基地局８１０、８２０へ送信しうる。そして、基地局８１０、８２０は、スクランブルされたＰＵＳＣＨデータを、ＵＥ８３０から受信したＵＬ−ＣｏＭＰスクランブリング初期化符号から生成された逆スクランブリング・シーケンスを用いて、逆スクランブルしうる。
【０１１０】
図６は、提供される１つの実施形態にしたがって方法６００を例示するフローチャートである。説明を単純にする目的のために、この方法は、一連の動作として図示および説明される。この方法は、１または複数の実施形態にしたがって、幾つかの動作が本明細書で示され記載されたものとは異なる順序で、あるいは他の動作と同時に生じうるので、動作の順序によって限定されない  ことが理解され認識されるべきである。例えば、当業者であれば、方法はその代わりに、例えば状態図におけるように、一連の相互関連する状態またはイベントとして表されうることを理解し認識するだろう。さらに、開示された実施形態のうちの１または複数にしたがって方法を実現するために、必ずしも例示された全ての動作が必要とされる訳ではない。
【０１１１】
図６では、典型的なシステム８００を参照して、この方法が、動作６０２で開始される。ここでは、共有初期化符号が、ＣｏＭＰ送信ネットワークのサービス提供セル８１０において生成される。共有初期化符号は、少なくとも、仮想サービス提供セルＩＤと仮想ＵＥ識別子とを含む。動作６０４では、共有初期化符号が、ＣｏＭＰ送信ネットワークの別のセル８２０へ送られる。このセル８２０は、システム・コントローラ８４０によってサービス提供セル８１０に接続されうる。動作６０６では、物理ダウンリンク制御チャネル（ＰＤＣＣＨ）８０４で、サービス提供セル８１０からＵＥ８３０へ共有初期化符号が送信される。動作６０８では、サービス提供セル８１０のスクランブリング・シーケンス・ジェネレータ８０２が、初期化符号を用いて初期化される。動作６１０では、サービス提供セル８１０におけるシーケンス・ジェネレータ８０２によって、スクランブリング・シーケンスが生成され、動作６１２では、スクランブルされたデータが、スクランブリング・シーケンスを用いて生成される。前述したように、初期化符号は、サービス提供セルＩＤまたは仮想サービス提供セルＩＤ、ＵＥ  ＩＤ、仮想ＵＥ  ＩＤまたは非ＵＥ  ＩＤ、コードワード・インデクスまたは仮想コードワード・インデクス、送信スロット・インデクスまたは仮想送信スロット・インデクス、を含みうる。
【０１１２】
図７Ａは、提供される１つの実施形態にしたがって方法７００を例示するフローチャートである。図７Ａでは、典型的なシステム８００を参照して、この方法７００は、動作７０２で始まる。ここでは、ＵＥ８３０が、ＣｏＭＰサービス提供セル８１０から、共有初期化符号を受信する。共有初期化符号は、協調マルチ・ポイント（ＣｏＭＰ）送信ネットワークのための共通のスクランブリング・シーケンスを生成するように構成されている。動作７０４では、ＵＥ８３０は、共有初期化符号を、ＣｏＭＰ送信ネットワークの別のセル８２０へ送信する。ここで、ＣｏＭＰ送信ネットワーク内の別のセルは、共有初期化符号を用いて生成されたスクランブリング・シーケンスを用いて、データをスクランブルし、スクランブルされたデータをＵＥへ送信する。動作７０６では、ＵＥ８３０は、スクランブルされたデータを、第１のＰＤＳＣＨ８０５でＣｏＭＰサービス提供セル８１０から、および、第２のＰＤＳＣＨ８０９でＣｏＭＰ送信ネットワーク内の別のセル８２０から、のうちの少なくとも１つから、受信する。
【０１１３】
図７Ｂは、提供される１つの実施形態にしたがう方法７５０を例示するフローチャートである。図７Ｂでは、典型的なシステム８００を参照して、この方法７５０は、動作７５２で開始される。ここでは、ＵＥ８３０が、ＣｏＭＰサービス提供セル８１０から、共有初期化符号の構成要素を受信する。共有初期化符号の構成要素は、ＣｏＭＰ送信ネットワークのためのアップリンク・スクランブリング・シーケンスを生成するように構成されている。動作７５４では、ＵＥ８３０は、物理アップリンク共有チャネル（ＰＵＳＣＨ）のためのスクランブリング・シーケンス・ジェネレータを初期化するために、共有初期化符号を生成する。動作７５６では、ＵＥ８３０は、物理アップリンク制御チャネル（ＰＵＣＣＨ）で、ＣｏＭＰ送信ネットワーク内のセル（例えば、８１０または８２０）へ、共有初期化符号を送信する。ここで、ＣｏＭＰ送信ネットワーク内のセルは、共有初期化符号から生成されたスクランブリング・シーケンスを用いて、ＵＥからのＰＵＳＣＨにおけるデータを、逆スクランブルするように構成される。動作７５８では、ＵＥは、スクランブルされたデータを、ＰＵＳＣＨで、ＣｏＭＰ送信ネットワーク内のセル（単数または複数）へ送信する。
【０１１４】
図９は、開示されたさまざまな実施形態が実施される装置９００を例示する。特に、図９に図示される装置９００は、アクセス・ポイントの少なくとも一部（例えば、図８に図示される基地局８１０、８２０）、ユーザ機器の少なくとも一部（例えば、図８に図示されるユーザ機器８３０）、システム・コントローラの少なくとも一部（例えば、図８に図示されるシステム・コントローラ８４０）、および／または、送信機システムまたは受信機システムの少なくとも一部（例えば、図２に図示される送信機システム２１０および受信機システム２５０）を備えうる。図９に図示される装置９００は、無線ネットワーク内に存在しうる。そして、到来するデータを、例えば、１または複数の受信機、および／または、適切な受信および復号回路（例えば、アンテナ、トランシーバ、復調器等）によって受信しうる。図９に図示される装置９００はまた、例えば、１または複数の送信機、および／または、適切な符号および送信回路（例えば、アンテナ、トランシーバ、変調器等）によって、発信されるデータを送信しうる。さらに、または、代わりに、図９に図示される装置９００は、有線ネットワーク内に存在しうる。
【０１１５】
図９はさらに、例えば、信号調整、分析等のような１または複数の動作を実行するための命令群を保持しうるメモリ９０２を含みうる装置９００を例示する。さらに、図９の装置９００は、メモリ９０２に格納された命令群、および／または、別のデバイスから受信した命令群を実行するプロセッサ９０４を含みうる。これら命令群は、装置９００または関連する通信装置を設定または動作させることに関連しうる。図９に図示されるメモリ９０２は、単一のブロックとして示されているが、分離された物理ユニットおよび／または論理ユニットを構成する１または複数の分離されたメモリを備えうることが注目されるべきである。さらに、メモリは、プロセッサ９０４に通信可能に接続されている間、図９に図示される装置９００の完全な外部に、または部分的に外部に存在しうる。図８に示される初期化符号ジェネレータ８０１およびシーケンス・ジェネレータ８０２のような１または複数の構成要素またはモジュールは、例えばメモリ９０２のようなメモリ内に存在しうることが理解されるべきである。
【０１１６】
開示された実施形態に関連して記載されたメモリは、揮発性メモリか不揮発性メモリの何れかであるか、揮発性メモリと不揮発性メモリとの両方を含みうることが認識されるだろう。限定するのではなく、一例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。
【０１１７】
図９の装置９００は、ユーザ機器またはモバイル・デバイスとともに適用され、例えば、ＳＤカード、ネットワーク・カード、無線ネットワーク・カード、（ラップトップ、デスクトップ、情報携帯端末ＰＤＡを含む）コンピュータ、モバイル電話、スマート・フォン、または、ネットワークにアクセスするために利用されうるその他任意の適切な端末のようなモジュールでありうることが注目される。ユーザ機器は、アクセス構成要素（図示せず）を経由してネットワークにアクセスする。一例において、ユーザ機器とアクセス構成要素との間の接続は、本質的には無線である。ここでは、アクセス構成要素は基地局であり、ユーザ機器は無線端末である。例えば、端末および基地局は、限定される訳ではないが、時分割多元接続（ＴＤＭＡ）、符号分割多元接続（ＣＤＭＡ）、周波数分割多元接続（ＦＤＭＡ）、直交周波数分割多重化（ＯＦＤＭ）、ＦＬＡＳＨ  ＯＦＤＭ、直交周波数分割多元接続（ＯＦＤＭＡ）、あるいはその他任意の適切なプロトコルを含む任意の適切な無線プロトコルによって通信することができる。
【０１１８】
アクセス構成要素は、有線ネットワークあるいは無線ネットワークに関連付けられたアクセス・ノードでありうる。この目的のために、アクセス構成要素は、例えばルータ、スイッチ等となりうる。アクセス構成要素は、他のネットワーク・ノードと通信するために、例えば通信モジュールのような１または複数のインタフェースを含みうる。さらに、アクセス構成要素は、セルラ・タイプ・ネットワーク内の基地局（または、無線アクセス・ポイント）でありうる。ここで、基地局（または、無線アクセス・ポイント）は、複数の加入者に無線有効通信範囲エリアを提供するために利用される。このような基地局（あるいは無線アクセス・ポイント）は、１または複数のセルラ電話および／またはその他の無線端末に、有効通信範囲の連続した領域を提供するように構成されうる。
【０１１９】
本明細書に記載された実施形態および特徴は、ハードウェア、ソフトウェア、ファームウェア、あるいはこれらの任意の組み合わせによって実現されうることが理解されるべきである。本明細書に記載されたさまざまな実施形態は、方法または処理の一般的なコンテキストで説明される。これは、１つの実施形態では、ネットワーク環境においてコンピュータによって実行される、例えばプログラム・コードのようなコンピュータ実行可能な命令群を含む、コンピュータ読取可能な媒体に組み込まれたコンピュータ・プログラム製品によって実現されうる。前述したように、メモリおよび／またはコンピュータ読取可能な媒体は、リムーバブル・ディスクや、限定される訳ではないが、読取専用メモリ（ＲＯＭ）、ランダム・アクセス・メモリ（ＲＡＭ）、コンパクト・ディスク（ＣＤ）、デジタル多用途ディスク（ＤＶＤ）等を含む非リムーバブル・ディスクを含みうる。ソフトウェアで実現される場合、これら機能は、コンピュータ読取可能な媒体に格納されるか、１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。
【０１２０】
さらに、いかなる接続も、コンピュータ読取可能な媒体と適切に称される。例えば、同軸ケーブル、光ファイバ・ケーブル、ツイスト・ペア、デジタル加入者線（ＤＳＬ）を使用して、ウェブサイト、サーバ、あるいはその他の遠隔ソースからソフトウェアが送信される場合、同軸ケーブル、光ファイバ・ケーブル、ツイスト・ペア、またはＤＳＬは、媒体の定義に含まれる。本明細書で使用されるディスク（ｄｉｓｋおよびｄｉｓｃ）は、コンパクト・ディスク（ＣＤ）、レーザ・ディスク、光ディスク、デジタル多用途ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【０１２１】
一般に、プログラム・モジュールは、特定のタスクを実行したり、または、特定の理想的なデータ・タイプを適用する、ルーチン、プログラム、オブジェクト、構成要素、データ構造等を含みうる。コンピュータ実行可能な命令群、関連付けられたデータ構造、および、プログラム・モジュールは、本明細書で開示された方法を実行するためのプログラム・コードの例を示す。実行可能なこのような命令群または関連付けられたデータ構造からなる特定のシーケンスは、このようなステップまたは処理において記載された機能を実施するための対応する動作の例を示す。
【０１２２】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【０１２３】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部および／またはプロセッサの外部に実装されうる。プロセッサの外部に実装される場合、当該技術分野で周知であるさまざまな手段によってプロセッサに通信可能に接続されうる。さらに、少なくとも１つのプロセッサが、本明細書に記載された機能を実行するように動作可能な１または複数のモジュールを含むことができる。
【０１２４】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、このような無線通信システムは、しばしばアンペア（ｕｎｐａｉｒｅｄ）な無許可のスペクトルを用いるピア・トゥ・ピア（例えば、ユーザ機器・トゥ・ユーザ機器）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【０１２５】
単一キャリア変調および周波数領域等値化を利用する単一キャリア周波数分割多元接続（ＳＣ−ＦＤＭＡ）は、開示された実施形態とともに利用されうる技術である。ＳＣ−ＦＤＭＡは、ＯＦＤＭＡシステムと同等のパフォーマンス、および、実質的に同程度の全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点から、低いＰＡＰＲがユーザ機器に利益をもたらすアップリンク通信において利用されうる。
【０１２６】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能な媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能な媒体を表すことができる。用語「機械読取可能な媒体」は、限定されることなく、無線チャネル、および、命令群および／またはデータを格納、包含、および／または搬送することができるその他任意の媒体を含みうる。それに加えて、コンピュータ・プログラム製品は、本明細書に記載された機能をコンピュータに対して実行させるように動作可能な１または複数の命令群あるいはコードを有するコンピュータ読取可能な媒体を含むことができる。
【０１２７】
さらに、本明細書に開示された態様に関連して記載された方法またはアルゴリズムからなるステップおよび／または動作は、ハードウェア内に直接的に組み込まれるか、プロセッサによって実行されるソフトウェア・モジュール内に組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの実施形態では、プロセッサと記憶媒体が、ＡＳＩＣ内に存在しうる。それに加えて、ＡＳＩＣは、ユーザ機器（例えば、図８におけるＵＥ８３０）内に存在しうる。あるいは、プロセッサおよび記憶媒体は、基地局（例えば、図８の基地局８１０）内のディスクリートな構成要素として存在しうる。さらに、いくつかの実施形態によれば、アルゴリズムまたは方法のステップおよび／または動作は、コンピュータ・プログラム製品に組み込まれうる機械読取可能な媒体および／またはコンピュータ読取可能な媒体上のコードおよび／または命令群の１つ、任意の組み合わせ、またはセットとして存在しうる。
【０１２８】
前述した開示は、例示的な実施形態を開示しているが、さまざまな変更および修正が、特許請求の範囲で定義されたような説明された実施形態の範囲から逸脱することなくなされうることが注目されるべきである。したがって、記載された実施形態は、特許請求の範囲のスコープ内にあるそのようなすべての変形、修正、および変更を含むことが意図される。さらに、説明された実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の実施形態のすべてまたは一部とともに利用されうる。
【０１２９】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【図１】
2014140199.tif 000012
【図２】
2014140199.tif 000013
【図３】
2014140199.tif 000014
【図４】
2014140199.tif 000015
【図５】
2014140199.tif 000016
【図６】
2014140199.tif 000017
【図７Ａ】
2014140199.tif 000018
【図７Ｂ】
2014140199.tif 000019
【図８】
2014140199.tif 000020
【図９】
2014140199.tif 000021
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
方法であって、
複数のセルを備える協調マルチ・ポイント（ＣｏＭＰ）送信ネットワークのサービス提供セルにおいて、共有初期化符号を生成することと、ここで、前記共有初期化符号は、前記ＣｏＭＰ送信ネットワーク内の各々のセルに共通の仮想サービス提供セル識別子を備える、
ユーザ機器（ＵＥ）による前記ＣｏＭＰ送信ネットワークの別のセルへの送信のために、物理ダウンリンク制御チャネル（ＰＤＣＣＨ）で、前記サービス提供セルから前記ＵＥへ前記共有初期化符号を送信することと、
前記共有初期化符号を用いてスクランブリング・シーケンス・ジェネレータを初期化することと、
前記共有初期化符号からスクランブリング・シーケンスを生成することと、
スクランブルされたデータを、前記スクランブリング・シーケンスを用いて生成することと、を備える方法。
【請求項２】
前記スクランブルされたデータは、ＵＥ特有の基準信号を備える、請求項１に記載の方法。
【請求項３】
前記スクランブルされたデータを、第１の物理ダウンリンク共有データ・チャネルで、前記ＵＥへ送信すること、をさらに備える請求項１に記載の方法。
【請求項４】
前記共有初期化符号はさらに、ＵＥ識別子、コードワード・インデクス、および送信スロット・インデクスを備える、請求項１に記載の方法。
【請求項５】
前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項４に記載の方法。
【請求項６】
前記共有初期化符号は、コードワード・インデクス、送信スロット・インデクス、および前記仮想サービス提供セル識別子を含む、請求項１に記載の方法。
【請求項７】
前記ＣｏＭＰ送信ネットワークは、単一のセルを備える、請求項１に記載の方法。
【請求項８】
前記共有初期化符号を、前記別のＣｏＭＰセルで受信することと、
前記共有初期化符号を用いて、前記別のＣｏＭＰセルにおけるスクランブリング・シーケンス・ジェネレータを初期化することと、
前記共有初期化符号を用いて前記スクランブリング・シーケンスを生成することと、
スクランブルされたデータを、前記スクランブリング・シーケンスを用いて生成することと、
前記スクランブルされたデータを、物理ダウンリンク共有チャネル（ＰＤＳＣＨ）で、前記ＵＥへ送信することと、をさらに備える請求項１に記載の方法。
【請求項９】
前記共有初期化符号を前記ＵＥにおいて受信することと、
前記共有初期化符号を用いて、前記ＵＥにおけるスクランブリング・シーケンス・ジェネレータを初期化することと、
前記共有初期化符号を用いて前記スクランブリング・シーケンスを生成することと、
スクランブルされたデータを、第１のＰＤＳＣＨと第２のＰＤＳＣＨとのうちの少なくとも１つで受信することと、
前記スクランブルされたデータを、前記スクランブリング・シーケンスを用いて逆スクランブルすることと、をさらに備える請求項８に記載の方法。
【請求項１０】
方法であって、
複数のセルを備える協調マルチ・ポイント（ＣｏＭＰ）送信ネットワークのサービス提供セルにおいて、共有初期化符号を生成することと、ここで、前記共有初期化符号は、前記ＣｏＭＰ送信ネットワーク内の各々のセルに共通の仮想サービス提供セル識別子を備える、
ユーザ機器（ＵＥ）による前記ＣｏＭＰ送信ネットワークの別のセルへの送信のために、物理ダウンリンク制御チャネル（ＰＤＣＣＨ）で、前記サービス提供セルから前記ＵＥへ前記共有初期化符号を送信することと、を備える方法。
【請求項１１】
前記共有初期化符号を用いてスクランブリング・シーケンス・ジェネレータを初期化することと、
前記共有初期化符号からスクランブリング・シーケンスを生成することと、
スクランブルされたデータを、前記スクランブリング・シーケンスを用いて生成することと、
前記スクランブルされたデータを、第１の物理ダウンリンク共有チャネル（ＰＤＳＣＨ）で、前記ＵＥへ送信することと、をさらに備える請求項１０に記載の方法。
【請求項１２】
前記スクランブルされたデータは、ＵＥ特有の基準信号を備える、請求項１１に記載の方法。
【請求項１３】
前記共有初期化符号を、前記別のＣｏＭＰセルで受信することと、
前記共有初期化符号を用いて、前記別のＣｏＭＰセルにおけるスクランブリング・シーケンス・ジェネレータを初期化することと、
前記共有初期化符号を用いて前記スクランブリング・シーケンスを生成することと、
スクランブルされたデータを、前記スクランブリング・シーケンスを用いて生成することと、
前記スクランブルされたデータを、第２のＰＤＳＣＨで、前記ＵＥへ送信することと、をさらに備える請求項１１に記載の方法。
【請求項１４】
前記サービス提供セル識別子は、仮想サービス提供セル識別子を備える、請求項１０に記載の方法。
【請求項１５】
前記共有初期化符号はさらに、ＵＥ識別子、コードワード・インデクス、および送信スロット・インデクスを備える、請求項１０に記載の方法。
【請求項１６】
前記ＵＥ識別子は、仮想ＵＥ識別子を備える、請求項１５に記載の方法。
【請求項１７】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項１５に記載の方法。
【請求項１８】
前記共有初期化符号は、前記サービス提供セル識別子、前記コードワード・インデクス、および前記送信スロット・インデクスを備える、請求項１０に記載の方法。
【請求項１９】
前記共有初期化符号を前記ＵＥにおいて受信することと、
前記共有初期化符号を用いて、前記ＵＥにおけるスクランブリング・シーケンス・ジェネレータを初期化することと、
前記共有初期化符号を用いて前記スクランブリング・シーケンスを生成することと、
スクランブルされたデータを、前記第１のＰＤＳＣＨと前記第２のＰＤＳＣＨとのうちの少なくとも１つで受信することと、
前記スクランブルされたデータを、前記スクランブリング・シーケンスを用いて逆スクランブルすることと、をさらに備える請求項１３に記載の方法。
【請求項２０】
前記スクランブルされたデータは、ＵＥ特有の基準信号を備える、請求項１９に記載の方法。
【請求項２１】
方法であって、
ユーザ機器（ＵＥ）において、協調マルチ・ポイント（ＣｏＭＰ）サービス提供セルから、共有初期化符号を受信することと、ここで、仮想サービス提供セル識別子を備える前記共有初期化符号は、ＣｏＭＰ送信ネットワーク内の複数のセルに共通のスクランブリング・シーケンスを生成するように構成される、
前記ＵＥから前記ＣｏＭＰ送信ネットワークにおける別のセルへ、前記共有初期化符号を送信することと、を備える方法。
【請求項２２】
前記スクランブリング・シーケンスを用いてスクランブルされたデータを、前記ＣｏＭＰ送信ネットワーク内の別のセルから受信すること、をさらに備える請求項２１に記載の方法。
【請求項２３】
前記スクランブリング・シーケンスを用いてスクランブルされたデータを、第１の物理ダウンリンク共有チャネル（ＰＤＳＣＨ）によって前記ＣｏＭＰサービス提供セルから、および、第２のＰＤＳＣＨによって前記ＣｏＭＰ送信ネットワークにおける別のセルから、のうちの少なくとも１つから受信すること、をさらに備える請求項２１に記載の方法。
【請求項２４】
前記共有初期化符号は、コードワード・インデクス、送信スロット・インデクス、およびセル識別子を備える、請求項２１に記載の方法。
【請求項２５】
前記共有初期化符号はさらに、ＵＥ識別子を備える、請求項２４に記載の方法。
【請求項２６】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、請求項２４に記載の方法。
【請求項２７】
前記ＵＥ識別子は、仮想ＵＥ識別子を備える、請求項２５に記載の方法。
【請求項２８】
複数のセルを備えるＣｏＭＰ送信ネットワークにおけるサービス提供セルであって、
プロセッサと、メモリとを備え、
前記メモリは、前記プロセッサによって実行された場合、
前記ＣｏＭＰ送信ネットワークのための共有初期化符号を生成し、ここで、前記共有初期化符号は、前記ＣｏＭＰ送信ネットワーク内の各々のセルに共通の仮想サービス提供セル識別子を備える、
ユーザ機器（ＵＥ）による前記ＣｏＭＰ送信ネットワークの別のセルへの送信のために、物理ダウンリンク制御チャネル（ＰＤＣＣＨ）で、前記サービス提供セルから前記ＵＥへ前記共有初期化符号を送信し、
前記共有初期化符号を用いてスクランブリング・シーケンス・ジェネレータを初期化し、
前記共有初期化符号からスクランブリング・シーケンスを生成し、
スクランブルされたデータを、前記スクランブリング・シーケンスを用いて生成する、ように前記サービス提供セルを設定する、プロセッサ実行可能な命令群を備える、サービス提供セル。
【請求項２９】
前記メモリはさらに、前記プロセッサによって実行された場合、前記共有初期化符号を、前記ＣｏＭＰ送信ネットワーク内の別のセルへ送信するように前記サービス提供セルを設定する、プロセッサ実行可能な命令群を備える、請求項２８に記載のサービス提供セル。
【請求項３０】
前記メモリはさらに、前記プロセッサによって実行された場合、前記スクランブルされたデータを、第１の物理ダウンリンク共有データ・チャネル（ＰＤＳＣＨ）で、前記ＵＥへ送信するように前記サービス提供セルを設定する、プロセッサ実行可能な命令群を備える、請求項２９に記載のサービス提供セル。
【請求項３１】
前記共有初期化符号はさらに、ＵＥ識別子、コードワード・インデクス、および送信スロット・インデクスを備える、請求項３０に記載のサービス提供セル。
【請求項３２】
前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項３１に記載のサービス提供セル。
【請求項３３】
前記共有初期化符号は、コードワード・インデクス、送信スロット・インデクス、および前記仮想サービス提供セル識別子を備える、請求項２８に記載のサービス提供セル。
【請求項３４】
複数のセルを備えるＣｏＭＰ送信ネットワークにおけるサービス提供セルであって、
プロセッサとメモリとを備え、
前記メモリは、前記プロセッサによって実行された場合、
前記ＣｏＭＰ送信ネットワークのための共有初期化符号を生成し、ここで、前記共有初期化符号は、前記ＣｏＭＰ送信ネットワーク内の各々のセルに共通の仮想サービス提供セル識別子を備え、
ユーザ機器（ＵＥ）による前記ＣｏＭＰ送信ネットワークにおける別のセルへの送信のために、物理ダウンリンク制御チャネル（ＰＤＣＣＨ）で、前記ＵＥへ前記共有初期化符号を送信する、ように前記サービス提供セルを設定する、プロセッサ実行可能な命令群を備える、サービス提供セル。
【請求項３５】
前記メモリはさらに、前記プロセッサによって実行された場合、
前記共有初期化符号を用いてスクランブリング・シーケンス・ジェネレータを初期化し、
前記共有初期化符号からスクランブリング・シーケンスを生成し、
スクランブルされたデータを、前記スクランブリング・シーケンスを用いて生成し、
前記スクランブルされたデータを、物理ダウンリンク共有チャネル（ＰＤＳＣＨ）で、前記ＵＥへ送信する、ように前記サービス提供セルを設定する、プロセッサ実行可能な命令群を備える、請求項３４に記載のサービス提供セル。
【請求項３６】
前記サービス提供セル識別子は、仮想サービス提供セル識別子を備える、請求項３４に記載のサービス提供セル。
【請求項３７】
前記共有初期化符号はさらに、ＵＥ識別子、コードワード・インデクス、および送信スロット・インデクスを備える、請求項３４に記載のサービス提供セル。
【請求項３８】
前記ＵＥ識別子は、仮想ＵＥ識別子を備える、請求項３７に記載のサービス提供セル。
【請求項３９】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項３７に記載のサービス提供セル。
【請求項４０】
前記共有初期化符号は、前記サービス提供セル識別子、前記コードワード・インデクス、および前記送信スロット・インデクスを備える、請求項３４に記載のサービス提供セル。
【請求項４１】
通信デバイスであって、
プロセッサとメモリとを備え、
前記メモリは、前記プロセッサによって実行された場合、
ユーザ機器（ＵＥ）において、ＣｏＭＰサービス提供セルから共有初期化符号を受信し、ここで、仮想サービス提供セル識別子を備える前記共有初期化符号は、協調マルチ・ポイント（ＣｏＭＰ）送信ネットワーク内の複数のセルに共通のスクランブリング・シーケンスを生成するように構成され、
前記ＵＥから前記ＣｏＭＰ送信ネットワークにおける別のセルへ、前記共有初期化符号を送信する、ように前記通信デバイスを設定する、プロセッサ実行可能な命令群を備える、通信デバイス。
【請求項４２】
前記メモリはさらに、前記プロセッサによって実行された場合、前記共通のスクランブリング・シーケンスを用いてスクランブルされたデータを、前記別のセルから受信する、ように前記プロセッサを設定する、プロセッサ実行可能な命令群を備える、請求項４１に記載の通信デバイス。
【請求項４３】
前記メモリはさらに、前記プロセッサによって実行された場合、第１の物理ダウンリンク共有チャネル（ＰＤＳＣＨ）におけるＣｏＭＰサービス提供セルと、第２のＰＤＳＣＨにおけるＣｏＭＰ送信ネットワークにおける別のセルとのうちの少なくとも１つから、スクランブルされたデータを受信するように前記通信デバイスを設定する、プロセッサ実行可能な命令群を備える、請求項４２に記載の通信デバイス。
【請求項４４】
前記共有初期化符号は、コードワード・インデクス、送信スロット・インデクス、およびセル識別子を備える、請求項４３に記載の通信デバイス。
【請求項４５】
前記共有初期化符号はさらに、ＵＥ識別子を備える、請求項４４に記載の通信デバイス。
【請求項４６】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、請求項４４に記載の通信デバイス。
【請求項４７】
前記ＵＥ識別子は、仮想ＵＥ識別子を備える、請求項４５に記載の通信デバイス。
【請求項４８】
コンピュータ読取可能な記憶媒体に組み込まれたコンピュータ・プログラムであって、
物理ダウンリンク制御チャネル（ＰＤＣＣＨ）で協調マルチ・ポイント（ＣｏＭＰ）サービス提供セルから共有初期化符号を受信するためのプログラム・コードと、ここで、仮想サービス提供セル識別子を備える前記共有初期化符号は、ＣｏＭＰ送信ネットワーク内の複数のセルに共通のスクランブリング・シーケンスを生成するように構成される、
ユーザ機器（ＵＥ）から前記ＣｏＭＰ送信ネットワークにおける別のセルへ、前記共有初期化符号を送信するためのプログラム・コードと、を備えるコンピュータ・プログラム。
【請求項４９】
第１の物理ダウンリンク共有チャネル（ＰＤＳＣＨ）における前記ＣｏＭＰサービス提供セルと、第２のＰＤＳＣＨにおける前記ＣｏＭＰ送信ネットワークにおける別のセルとのうちの少なくとも１つから、スクランブルされたデータを受信するためのプログラム・コードをさらに備える、請求項４８に記載のコンピュータ・プログラム。
【請求項５０】
前記ＣｏＭＰ送信ネットワークにおける別のセルへ、前記共有初期化符号を送信するためのプログラム・コードをさらに備える、請求項４８に記載のコンピュータ・プログラム。
【請求項５１】
前記共有初期化符号は、コードワード・インデクス、送信スロット・インデクス、およびセル識別子を備える、請求項４９に記載のコンピュータ・プログラム。
【請求項５２】
前記共有初期化符号はさらに、ＵＥ識別子を備える、請求項５１に記載のコンピュータ・プログラム。
【請求項５３】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、請求項５１に記載のコンピュータ・プログラム。
【請求項５４】
前記ＵＥ識別子は、仮想ＵＥ識別子を備える、請求項５２に記載のコンピュータ・プログラム。
【請求項５５】
コンピュータ読取可能な記憶媒体に組み込まれたコンピュータ・プログラムであって、
複数のセルを備える協調マルチ・ポイント（ＣｏＭＰ）送信ネットワークのサービス提供セルにおいて、共有初期化符号を生成するためのプログラム・コードと、ここで、前記共有初期化符号は、前記ＣｏＭＰ送信ネットワーク内の各々のセルに共通の仮想サービス提供セル識別子を備える、
物理ダウンリンク制御チャネル（ＰＤＣＣＨ）で前記サービス提供セルからユーザ機器（ＵＥ）へ前記共有初期化符号を送信するためのプログラム・コードと、
前記共有初期化符号を用いてスクランブリング・シーケンス・ジェネレータを初期化するためのプログラム・コードと、
前記共有初期化符号からスクランブリング・シーケンスを生成するためのプログラム・コードと、
スクランブルされたデータを、前記スクランブリング・シーケンスを用いて生成するためのプログラム・コードと、を備えるコンピュータ・プログラム。
【請求項５６】
前記スクランブルされたデータは、ＵＥ特有の基準信号を備える、請求項５５に記載のコンピュータ・プログラム。
【請求項５７】
前記サービス提供セルおよび前記ＣｏＭＰ送信ネットワークの別のセルに接続されたシステム・コントローラによって、前記ＣｏＭＰ送信ネットワークの別のセルへ、前記共有初期化符号を送信するためのプログラム・コードをさらに備える、請求項５５に記載のコンピュータ・プログラム。
【請求項５８】
前記スクランブルされたデータを、第１の物理ダウンリンク共有データ・チャネル（ＰＤＳＣＨ）で、前記ＵＥへ送信するためのプログラム・コードをさらに備える、請求項５５に記載のコンピュータ・プログラム。
【請求項５９】
前記共有初期化符号はさらに、ＵＥ識別子、コードワード・インデクス、および送信スロット・インデクスを備える、請求項５５に記載のコンピュータ・プログラム。
【請求項６０】
前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、請求項５９に記載のコンピュータ・プログラム。
【請求項６１】
前記共有初期化符号は、コードワード・インデクス、送信スロット・インデクス、および前記仮想サービス提供セル識別子を備える、請求項５５に記載のコンピュータ・プログラム。
【請求項６２】
通信デバイスであって、
協調マルチ・ポイント（ＣｏＭＰ）サービス提供セルから共有初期化符号を受信する手段と、ここで、仮想サービス提供セル識別子を備える前記共有初期化符号は、ＣｏＭＰ送信ネットワーク内の複数のセルに共通のスクランブリング・シーケンスを生成するように構成される、
ユーザ機器（ＵＥ）から前記ＣｏＭＰ送信ネットワークにおける別のセルへ前記共有初期化符号を送信する手段と、を備える通信デバイス。
【請求項６３】
第１の物理ダウンリンク共有チャネル（ＰＤＳＣＨ）における前記ＣｏＭＰサービス提供セルと、第２のＰＤＳＣＨにおける前記ＣｏＭＰ送信ネットワークにおける別のセルとのうちの少なくとも１つから、スクランブルされたデータを受信する手段をさらに備える、請求項６２に記載の通信デバイス。
【請求項６４】
前記共有初期化符号は、コードワード・インデクス、送信スロット・インデクス、およびセル識別子を備える、請求項６２に記載の通信デバイス。
【請求項６５】
前記初期化符号はさらに、ＵＥ識別子を備える、請求項６４に記載の通信デバイス。
【請求項６６】
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、請求項６４に記載の通信デバイス。
【請求項６７】
前記ＵＥ識別子は、仮想ＵＥ識別子を備える、請求項６５に記載の通信デバイス。
【請求項６８】
方法であって、
ユーザ機器（ＵＥ）において、ＣｏＭＰサービス提供セルから、共有初期化符号の構成要素を受信することと、ここで、仮想サービス提供セル識別子を備える前記共有初期化符号は、協調マルチ・ポイント（ＣｏＭＰ）送信ネットワーク内の複数のセルに共通のスクランブリング・シーケンスを生成するように構成される、ここで、前記共有初期化符号の構成要素は、前記ＣｏＭＰ送信ネットワークのためのアップリンク・スクランブリング・シーケンスを生成するように構成される、
物理アップリンク共有チャネルのためのスクランブリング・シーケンス・ジェネレータを初期化するために、前記共有初期化符号を生成することと、
前記共有初期化符号を、前記ＵＥから前記ＣｏＭＰ送信ネットワーク内のセルへ、物理アップリンク制御チャネルで送信することと、ここで、前記ＣｏＭＰ送信ネットワーク内のセルは、前記スクランブリング・シーケンスを用いて、前記ＵＥからの物理アップリンク共有チャネルにおけるデータを、逆スクランブルするように構成される、ここで、前記スクランブリング・シーケンスは、前記共有初期化符号化から生成される、
前記スクランブルされたデータを、前記ＣｏＭＰ送信ネットワーク内のセルへ、前記物理アップリンク共有チャネルで送信することと、を備える方法。
【手続補正２】
【補正対象書類名】明細書
【補正対象項目名】０１２９
【補正方法】変更
【補正の内容】
【０１２９】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
以下に、本願出願の当初の特許請求の範囲に記載された発明を付記する。
［Ｃ１］  方法であって、
協調マルチ・ポイント（ＣｏＭＰ）送信ネットワークのサービス提供セルにおいて、共有初期化符号を生成することと、ここで、前記共有初期化符号は、仮想サービス提供セル識別子を含む、
前記共有初期化符号を用いてスクランブリング・シーケンス・ジェネレータを初期化することと、
前記共有初期化符号からスクランブリング・シーケンスを生成することと、
スクランブルされたデータを、前記スクランブリング・シーケンスを用いて生成することと、
を備える方法。
［Ｃ２］  前記共有初期化符号を、前記ＣｏＭＰ送信ネットワーク内の別のセルへ送信すること、をさらに備えるＣ１に記載の方法。
［Ｃ３］  前記スクランブルされたデータは、ＵＥ特有の基準信号を備える、Ｃ１に記載の方法。
［Ｃ４］  物理ダウンリンク制御チャネルで、前記サービス提供セルからユーザ機器（ＵＥ）へ前記共有初期化符号を送信すること、をさらに備えるＣ１に記載の方法。
［Ｃ５］  前記スクランブルされたデータを、第１の物理ダウンリンク共有データ・チャネルで、前記ＵＥへ送信すること、をさらに備えるＣ４に記載の方法。
［Ｃ６］  前記共有初期化符号はさらに、ユーザ機器（ＵＥ）識別子、コードワード・インデクス、および送信スロット・インデクスを備える、Ｃ１に記載の方法。
［Ｃ７］  前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、Ｃ６に記載の方法。
［Ｃ８］  前記共有初期化符号は、コードワード・インデクス、送信スロット・インデクス、および仮想サービス提供セル識別子を含む、Ｃ１に記載の方法。
［Ｃ９］  前記ＣｏＭＰ送信ネットワークは、ユーザ機器へのダウンリンク送信に参加する複数のセルを備え、
前記共有初期化符号は、前記複数のセルのおのおののセルに共通である、Ｃ１に記載の方法。
［Ｃ１０］  前記ＣｏＭＰ送信ネットワークは、単一のセルを備える、Ｃ１に記載の方法。
［Ｃ１１］  前記共有初期化符号を、前記別のＣｏＭＰセルで受信することと、
前記共有初期化符号を用いて、前記別のＣｏＭＰセルにおけるスクランブリング・シーケンス・ジェネレータを初期化することと、
前記共有初期化符号を用いて前記スクランブリング・シーケンスを生成することと、
スクランブルされたデータを、前記スクランブリング・シーケンスを用いて生成することと、
前記スクランブルされたデータを、第２のＰＤＳＣＨで、前記ＵＥへ送信することと、
をさらに備えるＣ２に記載の方法。
［Ｃ１２］  前記共有初期化符号を前記ＵＥにおいて受信することと、
前記共有初期化符号を用いて、前記ＵＥにおけるスクランブリング・シーケンス・ジェネレータを初期化することと、
前記共有初期化符号を用いて前記スクランブリング・シーケンスを生成することと、
スクランブルされたデータを、前記第１のＰＤＳＣＨと前記第２のＰＤＳＣＨとのうちの少なくとも１つで受信することと、
前記スクランブルされたデータを、前記スクランブリング・シーケンスを用いて逆スクランブルすることと、
をさらに備えるＣ１１に記載の方法。
［Ｃ１３］  方法であって、
協調マルチ・ポイント（ＣｏＭＰ）送信ネットワークのサービス提供セルにおいて、共有初期化符号を生成することと、ここで、前記共有初期化符号は、サービス提供セル識別子を備える、
前記共有初期化符号を、前記ＣｏＭＰ送信ネットワーク内の別のセルへ送信することと、
物理ダウンリンク制御チャネル（ＰＤＣＣＨ）で、前記サービス提供セルからユーザ機器（ＵＥ）へ前記共有初期化符号を送信することと、
を備える方法。
［Ｃ１４］  前記共有初期化符号を用いてスクランブリング・シーケンス・ジェネレータを初期化することと、
前記共有初期化符号からスクランブリング・シーケンスを生成することと、
スクランブルされたデータを、前記スクランブリング・シーケンスを用いて生成することと、
前記スクランブルされたデータを、第１の物理ダウンリンク共有データ・チャネル（ＰＳＤＣＨ）で、ユーザ機器（ＵＥ）へ送信することと、
をさらに備えるＣ１３に記載の方法。
［Ｃ１５］  前記スクランブルされたデータは、ＵＥ特有の基準信号を備える、Ｃ１４に記載の方法。
［Ｃ１６］  前記共有初期化符号を、前記別のＣｏＭＰセルで受信することと、
前記共有初期化符号を用いて、前記別のＣｏＭＰセルにおけるスクランブリング・シーケンス・ジェネレータを初期化することと、
前記共有初期化符号を用いて前記スクランブリング・シーケンスを生成することと、
スクランブルされたデータを、前記スクランブリング・シーケンスを用いて生成することと、
前記スクランブルされたデータを、第２のＰＤＳＣＨで、前記ＵＥへ送信することと、
をさらに備えるＣ１４に記載の方法。
［Ｃ１７］  前記サービス提供セル識別子は、仮想サービス提供セル識別子を備える、Ｃ１３に記載の方法。
［Ｃ１８］  前記共有初期化符号はさらに、ＵＥ識別子、コードワード・インデクス、および送信スロット・インデクスを備える、Ｃ１３に記載の方法。
［Ｃ１９］  前記ＵＥ識別子は、仮想ＵＥ識別子を備える、Ｃ１８に記載の方法。
［Ｃ２０］  前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、Ｃ１８に記載の方法。
［Ｃ２１］  前記共有初期化符号は、前記サービス提供セル識別子、前記コードワード・インデクス、および前記送信スロット・インデクスを備える、Ｃ１３に記載の方法。
［Ｃ２２］  前記共有初期化符号を前記ＵＥにおいて受信することと、
前記共有初期化符号を用いて、前記ＵＥにおけるスクランブリング・シーケンス・ジェネレータを初期化することと、
前記共有初期化符号を用いて前記スクランブリング・シーケンスを生成することと、
スクランブルされたデータを、前記第１のＰＤＳＣＨと前記第２のＰＤＳＣＨとのうちの少なくとも１つで受信することと、
前記スクランブルされたデータを、前記スクランブリング・シーケンスを用いて逆スクランブルすることと、
をさらに備えるＣ１６に記載の方法。
［Ｃ２３］  前記スクランブルされたデータは、ＵＥ特有の基準信号を備える、Ｃ２２に記載の方法。
［Ｃ２４］  方法であって、
ユーザ機器（ＵＥ）において、協調マルチ・ポイント（ＣｏＭＰ）サービス提供セルから、共有初期化符号を受信することと、ここで、前記共有初期化符号は、ＣｏＭＰ送信ネットワーク内のセルに共通のスクランブリング・シーケンスを生成するように構成される、
前記ＣｏＭＰ送信ネットワークにおける別のセルへ、前記共有初期化符号を送信することと、
を備える方法。
［Ｃ２５］  前記スクランブリング・シーケンスを用いてスクランブルされたデータを、前記ＣｏＭＰ送信ネットワーク内の別のセルから受信すること、をさらに備えるＣ２４に記載の方法。
［Ｃ２６］  前記スクランブリング・シーケンスを用いてスクランブルされたデータを、第１のＰＤＳＣＨによってＣｏＭＰサービス提供セルから、および、第２のＰＤＳＣＨによってＣｏＭＰ送信ネットワークにおける別のセルから、のうちの少なくとも１つから受信すること、をさらに備えるＣ２４に記載の方法。
［Ｃ２７］  前記共有初期化符号は、コードワード・インデクス、送信スロット・インデクス、およびセル識別子を備える、Ｃ２４に記載の方法。
［Ｃ２８］  前記共有初期化符号はさらに、ＵＥ識別子を備える、Ｃ２７に記載の方法。
［Ｃ２９］  前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、Ｃ２７に記載の方法。
［Ｃ３０］  前記ＵＥ識別子は、仮想ＵＥ識別子を備える、Ｃ２８に記載の方法。
［Ｃ３１］  ＣｏＭＰ送信ネットワークにおけるサービス提供セルであって、
プロセッサと、メモリとを備え、
前記メモリは、前記プロセッサによって実行された場合、
前記ＣｏＭＰ送信ネットワークのための共有初期化符号を生成し、ここで、前記共有初期化符号は、仮想サービス提供セル識別子を備える、
前記共有初期化符号を用いてスクランブリング・シーケンス・ジェネレータを初期化し、
前記共有初期化符号からスクランブリング・シーケンスを生成し、
スクランブルされたデータを、前記スクランブリング・シーケンスを用いて生成する、
ように前記サービス提供セルを設定する、プロセッサ実行可能な命令群を備える、サービス提供セル。
［Ｃ３２］  前記メモリはさらに、前記プロセッサによって実行された場合、前記共有初期化符号を、前記ＣｏＭＰ送信ネットワーク内の別のセルへ送信するように前記サービス提供セルを設定する、プロセッサ実行可能な命令群を備える、Ｃ３１に記載のサービス提供セル。
［Ｃ３３］  前記メモリはさらに、前記プロセッサによって実行された場合、物理ダウンリンク制御チャネルで、前記サービス提供セルからユーザ機器（ＵＥ）へ前記共有初期化符号を送信するように前記サービス提供セルを設定する、プロセッサ実行可能な命令群を備える、Ｃ３１に記載のサービス提供セル。
［Ｃ３４］  前記メモリはさらに、前記プロセッサによって実行された場合、前記スクランブルされたデータを、第１の物理ダウンリンク共有データ・チャネルで、前記ＵＥへ送信するように前記サービス提供セルを設定する、プロセッサ実行可能な命令群を備える、Ｃ３３に記載のサービス提供セル。
［Ｃ３５］  前記共有初期化符号はさらに、ユーザ機器（ＵＥ）識別子、コードワード・インデクス、および送信スロット・インデクスを備える、Ｃ３４に記載のサービス提供セル。
［Ｃ３６］  前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、Ｃ３５に記載のサービス提供セル。
［Ｃ３７］  前記共有初期化符号は、コードワード・インデクス、送信スロット・インデクス、および仮想サービス提供セル識別子を備える、Ｃ３１に記載のサービス提供セル。
［Ｃ３８］  ＣｏＭＰ送信ネットワークにおけるサービス提供セルであって、
プロセッサとメモリとを備え、
前記メモリは、前記プロセッサによって実行された場合、
前記ＣｏＭＰ送信ネットワークのための共有初期化符号を生成し、ここで、前記共有初期化符号は、サービス提供セル識別子を備え、
前記ＣｏＭＰ送信ネットワークにおける別のセルへ、前記共有初期化符号を送信し、
物理ダウンリンク制御チャネル（ＰＤＣＣＨ）で、ユーザ機器（ＵＥ）へ前記共有初期化符号を送信する、
ように前記サービス提供セルを設定する、プロセッサ実行可能な命令群を備える、サービス提供セル。
［Ｃ３９］  前記メモリはさらに、前記プロセッサによって実行された場合、
前記共有初期化符号を用いてスクランブリング・シーケンス・ジェネレータを初期化し、
前記共有初期化符号からスクランブリング・シーケンスを生成し、
スクランブルされたデータを、前記スクランブリング・シーケンスを用いて生成し、
前記スクランブルされたデータを、物理ダウンリンク共有チャネル（ＰＤＳＣＨ）で、ユーザ機器（ＵＥ）へ送信する、
ように前記サービス提供セルを設定する、プロセッサ実行可能な命令群を備える、Ｃ３８に記載のサービス提供セル。
［Ｃ４０］  前記サービス提供セル識別子は、仮想サービス提供セル識別子を備える、Ｃ３８に記載のサービス提供セル。
［Ｃ４１］  前記共有初期化符号はさらに、ＵＥ識別子、コードワード・インデクス、および送信スロット・インデクスを備える、Ｃ３８に記載のサービス提供セル。
［Ｃ４２］  前記ＵＥ識別子は、仮想ＵＥ識別子を備える、Ｃ４１に記載のサービス提供セル。
［Ｃ４３］  前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、Ｃ４１に記載のサービス提供セル。
［Ｃ４４］  前記共有初期化符号は、前記サービス提供セル識別子、前記コードワード・インデクス、および前記送信スロット・インデクスを備える、Ｃ３８に記載のサービス提供セル。
［Ｃ４５］  通信デバイスであって、
プロセッサとメモリとを備え、
前記メモリはさらに、前記プロセッサによって実行された場合、
ＣｏＭＰサービス提供セルから共有初期化符号を受信し、ここで、前記共有初期化符号は、協調マルチ・ポイント（ＣｏＭＰ）送信ネットワークのための共通のスクランブリング・シーケンスを生成するように構成され、
前記ＣｏＭＰ送信ネットワークにおける別のセルへ、前記共有初期化符号を送信する、
ように前記通信デバイスを設定する、プロセッサ実行可能な命令群を備える、通信デバイス。
［Ｃ４６］  前記メモリはさらに、前記プロセッサによって実行された場合、前記共通のスクランブリング・シーケンスを用いてスクランブルされたデータを、前記別のセルから受信する、ように前記プロセッサを設定する、プロセッサ実行可能な命令群を備える、Ｃ４５に記載の通信デバイス。
［Ｃ４７］  前記メモリはさらに、前記プロセッサによって実行された場合、第１のＰＤＳＣＨにおけるＣｏＭＰサービス提供セルと、第２のＰＤＳＣＨにおけるＣｏＭＰ送信ネットワークにおける別のセルとのうちの少なくとも１つから、スクランブルされたデータを受信するように前記通信デバイスを設定する、プロセッサ実行可能な命令群を備える、Ｃ４６に記載の通信デバイス。
［Ｃ４８］  前記共有初期化符号は、コードワード・インデクス、送信スロット・インデクス、およびセル識別子を備える、Ｃ４５に記載の通信デバイス。
［Ｃ４９］  前記共有初期化符号はさらに、ＵＥ識別子を備える、Ｃ４８に記載の通信デバイス。
［Ｃ５０］  前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、Ｃ４８に記載の通信デバイス。
［Ｃ５１］  前記ＵＥ識別子は、仮想ＵＥ識別子を備える、Ｃ４９に記載の通信デバイス。
［Ｃ５２］  非一時的なコンピュータ読取可能な記憶媒体に組み込まれたコンピュータ・プログラム製品であって、
物理ダウンリンク制御チャネル（ＰＤＣＣＨ）で協調マルチ・ポイント（ＣｏＭＰ）サービス提供セルから共有初期化符号を受信するためのプログラム・コードと、ここで、前記共有初期化符号は、ＣｏＭＰ送信ネットワークのための共通のスクランブリング・シーケンスを生成するように構成される、
前記共有初期化符号に基づいてスクランブリング・シーケンスを生成するためのプログラム・コードと、
を備えるコンピュータ・プログラム製品。
［Ｃ５３］  第１の物理ダウンリンク共有チャネル（ＰＤＳＣＨ）におけるＣｏＭＰサービス提供セルと、第２のＰＤＳＣＨにおけるＣｏＭＰ送信ネットワークにおける別のセルとのうちの少なくとも１つから、スクランブルされたデータを受信するためのプログラム・コードをさらに備える、Ｃ５２に記載のコンピュータ・プログラム製品。
［Ｃ５４］  前記ＣｏＭＰ送信ネットワークにおける別のセルへ、前記共有初期化符号を送信するためのプログラム・コードをさらに備える、Ｃ５２に記載のコンピュータ・プログラム製品。
［Ｃ５５］  前記共有初期化符号は、コードワード・インデクス、送信スロット・インデクス、およびセル識別子を備える、Ｃ５３に記載のコンピュータ・プログラム製品。
［Ｃ５６］  前記共有初期化符号はさらに、ＵＥ識別子を備える、Ｃ５５に記載のコンピュータ・プログラム製品。
［Ｃ５７］  前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、Ｃ５５に記載のコンピュータ・プログラム製品。
［Ｃ５８］  前記ＵＥ識別子は、仮想ＵＥ識別子を備える、Ｃ５６に記載のコンピュータ・プログラム製品。
［Ｃ５９］  非一時的なコンピュータ読取可能な記憶媒体に組み込まれたコンピュータ・プログラム製品であって、
協調マルチ・ポイント（ＣｏＭＰ）送信ネットワークのサービス提供セルにおいて、共有初期化符号を生成するためのプログラム・コードと、ここで、前記共有初期化符号は、仮想サービス提供セル識別子を含む、
前記共有初期化符号を用いてスクランブリング・シーケンス・ジェネレータを初期化するためのプログラム・コードと、
前記共有初期化符号からスクランブリング・シーケンスを生成するためのプログラム・コードと、
スクランブルされたデータを、前記スクランブリング・シーケンスを用いて生成する
ためのプログラム・コードと、
を備えるコンピュータ・プログラム製品。
［Ｃ６０］  前記スクランブルされたデータは、ＵＥ特有の基準信号を備える、Ｃ５９に記載の方法。
［Ｃ６１］  前記サービス提供セルおよび前記ＣｏＭＰ送信ネットワークの別のセルに接続されたシステム・コントローラによって、前記ＣｏＭＰ送信ネットワークの別のセルへ、前記共有初期化符号を送信するためのプログラム・コードをさらに備える、Ｃ５９に記載のコンピュータ・プログラム製品。
［Ｃ６２］  物理ダウンリンク制御チャネルで、前記サービス提供セルからユーザ機器（ＵＥ）へ前記共有初期化符号を送信するためのプログラム・コードをさらに備える、Ｃ５９に記載のコンピュータ・プログラム・コード。
［Ｃ６３］  前記スクランブルされたデータを、第１の物理ダウンリンク共有データ・チャネルで、前記ＵＥへ送信するためのプログラム・コードをさらに備える、Ｃ６２に記載のコンピュータ・プログラム・コード。
［Ｃ６４］  前記共有初期化符号はさらに、ユーザ機器（ＵＥ）識別子、コードワード・インデクス、および送信スロット・インデクスを備える、Ｃ５９に記載のコンピュータ・プログラム・コード。
［Ｃ６５］  前記ＵＥ識別子は、仮想ＵＥ識別子を備え、
前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備える、Ｃ６４に記載のコンピュータ・プログラム・コード。
［Ｃ６６］  前記共有初期化符号は、コードワード・インデクス、送信スロット・インデクス、および仮想サービス提供セル識別子を備える、Ｃ５９に記載のコンピュータ・プログラム・コード。
［Ｃ６７］  通信デバイスであって、
協調マルチ・ポイント（ＣｏＭＰ）サービス提供セルから共有初期化符号を受信する手段と、ここで、前記共有初期化符号は、ＣｏＭＰ送信ネットワークのための共通のスクランブリング・シーケンスを生成するように構成される、
前記共有初期化符号を用いて前記共通のスクランブリング・シーケンスを生成する手段と、
を備える通信デバイス。
［Ｃ６８］  第１のＰＤＳＣＨにおけるＣｏＭＰサービス提供セルと、第２のＰＤＳＣＨにおけるＣｏＭＰ送信ネットワークにおける別のセルとのうちの少なくとも１つから、スクランブルされたデータを受信する手段をさらに備える、Ｃ６７に記載の通信デバイス。
［Ｃ６９］  前記共有初期化符号は、コードワード・インデクス、送信スロット・インデクス、およびセル識別子を備える、Ｃ６７に記載の通信デバイス。
［Ｃ７０］  前記初期化符号はさらに、ＵＥ識別子を備える、Ｃ６９に記載の通信デバイス。
［Ｃ７１］  前記コードワード・インデクスは、サービス提供セル・コードワード・インデクスと仮想コードワード・インデクスとのうちの１つを備え、
前記送信スロット・インデクスは、サービス提供セル送信スロット・インデクスと仮想送信スロット・インデクスとのうちの１つを備え、
前記セル識別子は、サービス提供セル識別子と仮想セル識別子とのうちの１つを備える、Ｃ６９に記載の通信デバイス。
［Ｃ７２］  前記ＵＥ識別子は、仮想ＵＥ識別子を備える、Ｃ７０に記載の通信デバイス。
［Ｃ７３］  方法であって、
ユーザ機器において、ＣｏＭＰサービス提供セルから、共有初期化符号の構成要素を受信することと、ここで、前記共有初期化符号の構成要素は、ＣｏＭＰ送信ネットワークのためのアップリンク・スクランブリング・シーケンスを生成するように構成される、
物理アップリンク共有チャネルのためのスクランブリング・シーケンス・ジェネレータを初期化するために、前記共有初期化符号を生成することと、
前記共有初期化符号を、前記ＣｏＭＰ送信ネットワーク内のセルへ、物理アップリンク制御チャネルで送信することと、ここで、ＣｏＭＰ送信ネットワーク内のセルは、前記共有初期化符号から生成されたスクランブリング・シーケンスを用いて、前記ＵＥからの物理アップリンク共有チャネルにおけるデータを、逆スクランブルするように構成される、
前記スクランブルされたデータを、前記ＣｏＭＰ送信ネットワーク内のセルへ、物理アップリンク共有チャネルで送信することと、
を備える方法。
【外国語明細書】
2014140199000001.pdf